(57)【特許請求の範囲】
【請求項１】
表示画面内に設定される１つ以上の表示領域のそれぞれ毎に、画像データの１つ以上の提供元を示す情報を対応付けた対応付け情報を記憶する記憶手段と、
前記記憶手段に記憶されている前記対応付け情報に基づいて、１つ以上の前記表示領域のそれぞれ毎に、対応する提供元から画像データを取得する取得手段と、
前記取得手段により取得された、１つ以上の前記表示領域のそれぞれ毎の画像データに基づいて、前記表示画面に表示する画像の画像データを形成する形成手段と、
前記形成手段で形成された前記画像データに応じた画像を、前記表示画面に表示するようにする表示処理手段と、
予め決められた定期的なタイミング毎に、前記記憶手段に記憶されている前記対応付け情報に基づいて、１つ以上の前記表示領域のそれぞれについて、対応する前記提供元に新たな画像データが存在するか否かを検出する検出手段と、
前記検出手段により新たな画像データの存在が検出された場合、新たな画像データが存在することを報知する報知手段と、
使用者からの指示入力を受け付ける受付手段と、
前記検出手段により新たな画像データの存在が検出された場合、前記受付手段を通じて所定の指示入力を受け付けたときに、前記取得手段、前記形成手段、および前記表示処理手段を制御して、前記新たな画像データに対応する画像が他の画像より先に表示されるように、前記表示画面内の画像を更新するように制御する表示制御手段と
を備える画像表示装置。
【請求項２】
請求項１に記載の画像表示装置であって、
前記表示画面に前記表示処理手段によって画像が表示されてからの時間を計測する計測手段
を備え、
前記表示制御手段は、前記検出手段により新たな画像データの存在が検出されない場合、前記受付手段を通じて所定の指示入力を受け付けたとき、あるいは、前記計測手段の計測結果が、画像が表示されてから一定時間が経過したことを示しているときに、前記取得手段、前記形成手段、および前記表示処理手段を制御して、前記表示画面内の画像を更新するように制御する
画像表示装置。
【請求項３】
請求項１に記載の画像表示装置であって、
前記報知手段は、前記検出手段により新たな画像データの存在が検出された場合、新たな画像データが存在する提供元に対応する表示領域に、新たな画像データが存在することを報知する表示を行う
画像表示装置。
【請求項４】
請求項１に記載の画像表示装置であって、
前記検出手段により新たな画像データの存在が検出された場合に、１つ以上の表示領域のそれぞれ毎に、新たな画像データが存在することを示す情報を、前記記憶手段に更新する更新手段と、
実行可能な処理を選択項目とするメニューを形成して表示するようにするメニュー形成手段と
を備え、
前記報知手段は、前記記憶手段に新たな画像データが存在することを示す情報が更新されている場合に、前記メニュー形成手段により形成されるメニューの前記選択項目であって、表示画面内に設定される１つ以上の表示領域のそれぞれ毎に画像の表示を行う処理の選択項目に、新たな画像データが存在することを報知する表示を行うようにする
画像表示装置。
【請求項５】
請求項１に記載の画像表示装置であって、
前記提供元との間で通信を行う通信手段
を備え、
前記検出手段は、前記記憶手段に記憶されている前記対応付け情報に基づいて、前記通信手段を制御して１つ以上の前記表示領域のそれぞれ毎に、対応する前記提供元と通信を行うことにより、対応する前記提供元に新たな画像データが存在するか否かを検出する
画像表示装置。
【請求項６】
記録手段が、表示画面内に設定される１つ以上の表示領域のそれぞれ毎に、画像データの１つ以上の提供元を示す情報を対応付けた対応付け情報を記憶手段に記録する記録工程と、
取得手段が、前記記憶手段に記憶されている前記対応付け情報に基づいて、１つ以上の前記表示領域のそれぞれ毎に、対応する提供元から画像データを取得する取得工程と、
前記取得工程において取得した、１つ以上の前記表示領域のそれぞれ毎の画像データに基づいて、形成手段が、前記表示画面に表示する画像の画像データを形成する形成工程と、
前記形成工程で形成した前記画像データに応じた画像を、表示処理手段が、前記表示画面に表示するようにする表示処理工程と、
予め決められた定期的なタイミング毎に、前記記憶手段に記憶されている前記対応付け情報に基づいて、検出手段が、１つ以上の前記表示領域のそれぞれについて、対応する前記提供元に新たな画像データが存在するか否かを検出する検出工程と、
前記検出工程において新たな画像データの存在を検出した場合に、報知手段を通じて新たな画像データが存在することを報知する報知工程と、
受付手段を通じて使用者からの指示入力を受け付ける受付工程と、
前記検出工程において新たな画像データの存在を検出した場合、前記受付工程において所定の指示入力を受け付けたときに、表示制御手段が、前記取得手段、前記形成手段、および前記表示処理手段を制御して、前記新たな画像データに対応する画像が他の画像より先に表示されるように、前記表示画面内の画像を更新するように制御する表示制御工程と
を有する画像表示方法。
【請求項７】
請求項６に記載の画像表示方法であって、
計測手段によって、前記表示画面に前記表示処理工程において画像を表示してからの時間を計測する計測工程
を有し、
前記表示制御工程では、前記検出工程において新たな画像データの存在を検出しない場合、前記受付工程において所定の指示入力を受け付けたとき、あるいは、前記計測工程においての計測結果が、画像が表示されてから一定時間が経過したことを示しているときに、表示制御手段が、前記取得手段、前記形成手段、および前記表示処理手段を制御して、前記表示画面内の画像を更新するように制御する
画像表示方法。
【請求項８】
請求項６に記載の画像表示方法であって、
前記報知工程では、前記検出工程において新たな画像データの存在を検出した場合に、前記報知手段を通じて、新たな画像データが存在する提供元に対応する表示領域に、新たな画像データが存在することを報知する表示を行う
画像表示方法。
【請求項９】
請求項６に記載の画像表示方法であって、
前記検出工程において、新たな画像データの存在を検出した場合に、更新手段が、１つ以上の表示領域のそれぞれ毎に、新たな画像データが存在することを示す情報を、前記記憶手段に更新する更新工程と、
メニュー形成手段が、実行可能な処理を選択項目とするメニューを形成して表示するようにするメニュー形成工程と
を有し、
前記報知工程では、前記記憶手段に新たな画像データが存在することを示す情報が更新されている場合に、前記報知手段を通じて、前記メニュー形成工程において形成するメニューの前記選択項目であって、表示画面内に設定される１つ以上の表示領域のそれぞれ毎に画像の表示を行う処理の選択項目に、新たな画像データが存在することを報知する表示を行うようにする
画像表示方法。
【請求項１０】
請求項６に記載の画像表示方法であって、
通信手段が前記提供元との間で通信を行う通信工程
を有し、
前記検出工程では、前記記憶手段に記憶されている前記対応付け情報に基づいて、前記検出手段が、前記通信手段を制御して１つ以上の前記表示領域のそれぞれ毎に、対応する前記提供元と通信を行うことにより、対応する前記提供元に新たな画像データが存在するか否かを検出する
画像表示方法。
【請求項１１】
画像データを処理する装置に搭載されたコンピュータに、
記録手段が、表示画面内に設定される１つ以上の表示領域のそれぞれ毎に、画像データの１つ以上の提供元を示す情報を対応付けた対応付け情報を記憶手段に記録する記録ステップと、
取得手段が、前記記憶手段に記憶されている前記対応付け情報に基づいて、１つ以上の前記表示領域のそれぞれ毎に、対応する提供元から画像データを取得する取得ステップと、
前記取得ステップにおいて取得した、１つ以上の前記表示領域のそれぞれ毎の画像データに基づいて、形成手段が、前記表示画面に表示する画像の画像データを形成する形成ステップと、
前記形成ステップにおいて形成した前記画像データに応じた画像を、表示処理手段が、前記表示画面に表示するようにする表示処理ステップと、
予め決められた定期的なタイミング毎に、前記記憶手段に記憶されている前記対応付け情報に基づいて、検出手段が、１つ以上の前記表示領域のそれぞれについて、対応する前記提供元に新たな画像データが存在するか否かを検出する検出ステップと、
前記検出ステップにおいて新たな画像データの存在を検出した場合に、報知手段を通じて新たな画像データが存在することを報知する報知ステップと、
受付手段を通じて使用者からの指示入力を受け付ける受付ステップと、
前記検出ステップにおいて新たな画像データの存在を検出した場合、前記受付ステップにおいて所定の指示入力を受け付けたときに、表示制御手段が、前記取得手段、前記形成手段、および前記表示処理手段を制御して、前記新たな画像データに対応する画像が他の画像より先に表示されるように、前記表示画面内の画像を更新するように制御する表示制御ステップと
を含む処理を実行させるための画像表示プログラム。
【請求項１２】
請求項１１に記載の画像表示プログラムであって、
計測手段によって、前記表示画面に前記表示処理ステップにおいて画像を表示してからの時間を計測する計測ステップ
を含む処理を前記コンピュータに実行させ、
前記表示制御ステップでは、前記検出ステップにおいて新たな画像データの存在を検出しない場合、前記受付ステップにおいて所定の指示入力を受け付けたとき、あるいは、前記計測ステップにおいての計測結果が、画像が表示されてから一定時間が経過したことを示しているときに、表示制御手段が、前記取得手段、前記形成手段、および前記表示処理手段を制御して、前記表示画面内の画像を更新するように制御する
画像表示プログラム。
【請求項１３】
請求項１１に記載の画像表示プログラムであって、
前記報知ステップでは、前記検出ステップにおいて新たな画像データの存在を検出した場合に、前記報知手段を通じて、新たな画像データが存在する提供元に対応する表示領域に、新たな画像データが存在することを報知する表示を行う
画像表示プログラム。
【請求項１４】
請求項１１に記載の画像表示プログラムであって、
前記検出ステップにおいて、新たな画像データの存在を検出した場合に、更新手段が、１つ以上の表示領域のそれぞれ毎に、新たな画像データが存在することを示す情報を、前記記憶手段に更新する更新ステップと、
メニュー形成手段が、実行可能な処理を選択項目とするメニューを形成して表示するようにするメニュー形成ステップと
を含む処理を前記コンピュータに実行させ、
前記報知ステップでは、前記記憶手段に新たな画像データが存在することを示す情報が更新されている場合に、前記報知手段を通じて、前記メニュー形成ステップにおいて形成するメニューの前記選択項目であって、表示画面内に設定される１つ以上の表示領域のそれぞれ毎に画像の表示を行う処理の選択項目に、新たな画像データが存在することを報知する表示を行うようにする
画像表示プログラム。
【請求項１５】
請求項１１に記載の画像表示プログラムであって、
前記検出ステップでは、前記記憶手段に記憶されている前記対応付け情報に基づいて、前記検出手段が、前記提供元との間で通信を行う通信手段を制御して１つ以上の前記表示領域のそれぞれ毎に、対応する前記提供元と通信を行うことにより、対応する前記提供元に新たな画像データが存在するか否かを検出する
画像表示プログラム。
【発明の詳細な説明】
【技術分野】
【０００１】
この発明は、例えば、静止画データ、動画データ、グラフィックスデータ等の画像データを表示する装置、当該装置で用いられる方法、プログラムに関する。
【背景技術】
【０００２】
デジタルスチルカメラが普及し、撮影することにより得た被写体の静止画像データをエンドユーザーが気軽に利用することができるようになってきている。また、インターネット上のサーバ装置を介しても種々の静止画像データが公開されており、これをエンドユーザーがダウンロードして利用することも行われている。
【０００３】
そして、パーソナルコンピュータを用いることによって多数の静止画像データを管理し、多数の静止画像データによる画像を一定時間ずつ順番に表示するスライドショー表示を行うなどして静止画像データを利用することが行われている。
【０００４】
また、デジタルスチルカメラを通じて被写体の画像を撮影して得た静止画像データを手軽に利用できるようにするために、デジタル写真表示装置や電子フォトスタンドなどと呼ばれる写真表示装置も提案されるようになってきている。
【０００５】
例えば、後に記す特許文献１には、デジタル写真を表示する場合に、写真レイアウトパターンとして、表示される写真の配置を時間の経過にしたがって自動的に変化させるようにするデジタル写真装置に関する発明が開示されている。
【０００６】
この特許文献１に記載の発明を用いることにより、表示する写真の配置を自動的に変えることができるので、ユーザーの手を煩わせることなく、表示に変化のある楽しい写真の表示を行うことができるようにされる。
【０００７】
なお、上述した特許文献１は、以下に示す通りである。
【特許文献１】特開２００２−２４８４６号公報
【発明の開示】
【発明が解決しようとする課題】
【０００８】
上述した特許文献１に記載された発明は、所定のメモリに記録保持されている静止画像データの全てを表示対象とするものである。また、パーソナルコンピュータなどにおいて実現されているいわゆるスライドショー表示においても、選択されたフォルダに登録されている静止画像データによる画像を順次に再生するようにされている。
【０００９】
しかし、上述もしたように、エンドユーザーが利用可能な静止画像データは、エンドユーザーがデジタルカメラを用いて自分で撮影するなどしたものの他にも、インターネット上のサーバ装置を通じて公開するようにされているものなど、様々のものがある。
【００１０】
このため、様々な格納先に格納されている静止画像データを、ユーザーの手を煩わせることなく、効率よく利用することができるようにすることが望まれている。このように、様々な格納先に格納されている静止画像データをユーザーが利用できるようにする場合に、種々の面からユーザーの利便性を向上させることが望まれている。
【００１１】
以上のことにかんがみ、この発明は、様々な格納先に格納されている静止画像データ等の画像データを効率よく利用できるようにし、画像データの利用に際し、ユーザーの利便性を向上させることを目的とする。
【課題を解決するための手段】
【００１２】
上記課題を解決するため、請求項１に記載の発明の画像表示装置は、
表示画面内に設定される１つ以上の表示領域のそれぞれ毎に、画像データの１つ以上の提供元を示す情報を対応付けた対応付け情報を記憶する記憶手段と、
前記記憶手段に記憶されている前記対応付け情報に基づいて、１つ以上の前記表示領域のそれぞれ毎に、対応する提供元から画像データを取得する取得手段と、
前記取得手段により取得された、１つ以上の前記表示領域のそれぞれ毎の画像データに基づいて、前記表示画面に表示する画像の画像データを形成する形成手段と、
前記形成手段で形成された前記画像データに応じた画像を、前記表示画面に表示するようにする表示処理手段と、
予め決められた定期的なタイミング毎に、前記記憶手段に記憶されている前記対応付け情報に基づいて、１つ以上の前記表示領域のそれぞれについて、対応する前記提供元に新たな画像データが存在するか否かを検出する検出手段と、
前記検出手段により新たな画像データの存在が検出された場合、新たな画像データが存在することを報知する報知手段と、
使用者からの指示入力を受け付ける受付手段と、
前記検出手段により新たな画像データの存在が検出された場合、前記受付手段を通じて所定の指示入力を受け付けたときに、前記取得手段、前記形成手段、および前記表示処理手段を制御して、前記新たな画像データに対応する画像が他の画像より先に表示されるように、前記表示画面内の画像を更新するように制御する表示制御手段と
を備える。
【００１３】
この請求項１に記載の発明の画像表示装置によれば、記憶手段には、表示画面内に設定される１つ以上の表示領域のそれぞれ毎に、画像データの１つ以上の提供元を示す情報を対応付けた対応付け情報が記録されている。そして、取得手段により、記憶手段の対応付け情報が用いられて、対応する提供元から、設定された１つ以上の表示領域のそれぞれ毎に画像データが取得される。
【００１４】
この取得された画像データが用いられて、形成手段により表示画面に表示する画像の画像データが形成され、この画像データに基づいて、表示処理手段により、表示画面に画像が表示される。また、検出手段が所定の定期的なタイミング毎に機能し、表示画面中に設定するようにされる１つ以上の表示領域のそれぞれ毎に、対応する提供元に、新たに表示すべき画像データが存在するか否かが検出される。そして、新たに表示すべき画像データが存在することが検出された場合に、報知手段によってこれが使用者に対して報知するようにされる。さらに、新たに表示すべき画像データが存在することが検出された場合に、使用者からの指示入力が発生したとき、表示制御手段が各部を制御し、新たな画像データに対応する画像が他の画像より先に表示されるように、表示画面の１つ以上の表示領域に表示する表示画像の切り替えが行われるようにされる。
【００１５】
これにより、１つの表示画面内に設定される１つ以上の表示領域のそれぞれに、そのそれぞれに応じた提供元から取得した画像データを表示させることができるようにされる。また、使用者は、新たに表示すべき画像が存在することを知ることができるようにされ、新たに利用可能になった画像を迅速に利用することができるようにされる。したがって、様々な格納先に格納されている静止画像データ等の画像データを効率よく利用することができるようにされる。また、画像データの利用に際し、ユーザーの利便性を向上させることができるようにされる。
【００１６】
また、請求項２に記載の発明の画像表示装置は、請求項１に記載の画像表示装置であって、
前記表示画面に前記表示処理手段によって画像が表示されてからの時間を計測する計測手段
を備え、
前記表示制御手段は、前記検出手段により新たな画像データの存在が検出されない場合、前記受付手段を通じて所定の指示入力を受け付けたとき、あるいは、前記計測手段の計測結果が、画像が表示されてから一定時間が経過したことを示しているときに、前記取得手段、前記形成手段、および前記表示処理手段を制御して、前記表示画面内の画像を更新するように制御する。
【００１７】
この請求項２に記載の発明の画像表示装置によれば、新たに表示すべき画像データが存在することが検出されない場合、使用者からの指示入力、あるいは、画像の表示からの一定時間経過のいずれかの事象が発生したとき、表示制御手段が各部を制御し、表示画面の１つ以上の表示領域に表示する表示画像の切り替えが行われるようにされる。
【００１８】
これにより、新たに表示すべき画像データが存在することが検出されない場合、表示画面の１つ以上の表示領域の表示画像のそれぞれを、適宜のタイミングで切り替えることができるようにされる。したがって、より多くの画像データの利用が可能になり、様々な格納先に格納されている静止画像データ等の画像データを効率よく利用することができるようにされる。また、画像データの利用に際し、ユーザーの利便性を向上させることができるようにされる。
【００２２】
また、請求項３に記載の発明の画像表示装置は、請求項１に記載の画像表示装置であって、
前記報知手段は、前記検出手段により新たな画像データの存在が検出された場合、新たな画像データが存在する提供元に対応する表示領域に、新たな画像データが存在することを報知する表示を行う。
【００２３】
この請求項３に記載の発明の画像表示装置によれば、報知手段によって、新たに表示すべき画像データが存在することが、表示領域への表示により使用者に報知するようにされる。
【００２４】
これにより、使用者は、表示領域への表示により、その表示領域に対して新たに表示すべき画像が存在することを知ることができるようにされ、新たに利用可能になった画像を迅速に利用することができるようにされる。したがって、様々な格納先に格納されている静止画像データ等の画像データを効率よく利用することができるようにされる。また、画像データの利用に際し、ユーザーの利便性を向上させることができるようにされる。
【００２５】
また、請求項４に記載の発明の画像表示装置は、請求項１に記載の画像表示装置であって、
前記検出手段により新たな画像データの存在が検出された場合に、１つ以上の表示領域のそれぞれ毎に、新たな画像データが存在することを示す情報を、前記記憶手段に更新する更新手段と、
実行可能な処理を選択項目とするメニューを形成して表示するようにするメニュー形成手段
を備え、
前記報知手段は、前記記憶手段に新たな画像データが存在することを示す情報が更新されている場合に、前記メニュー形成手段により形成されるメニューの前記選択項目であって、表示画面内に設定される１つ以上の表示領域のそれぞれ毎に画像の表示を行う処理の選択項目に、新たな画像データが存在することを報知する表示を行うようにする。
【００２６】
この請求項４に記載の発明の画像表示装置によれば、新たに表示すべき画像データが存在することが検出された場合には、これが更新手段によって記憶手段に更新される。
【００２７】
そして、メニュー形成手段によって実行可能な処理を選択項目とするメニューが形成されて表示される。この場合に、記憶手段に新たに表示すべき画像データが存在することを示す情報が更新されている場合には、報知手段によって、表示画面内に設定される１つ以上の表示領域のそれぞれ毎に画像の表示を行う処理の選択項目に、新たな画像データが存在することを報知する表示が行われる。
【００２８】
これにより、使用者は、メニューの選択項目の表示において、新たに表示すべき画像が存在することを知ることができるようにされ、新たに利用可能になった画像を迅速に利用することができるようにされる。したがって、様々な格納先に格納されている静止画像データ等の画像データを効率よく利用することができるようにされる。また、画像データの利用に際し、ユーザーの利便性を向上させることができるようにされる。
また、請求項５に記載の発明の画像表示装置は、請求項１に記載の画像表示装置であって、
前記提供元との間で通信を行う通信手段
を備え、
前記検出手段は、前記記憶手段に記憶されている前記対応付け情報に基づいて、前記通信手段を制御して１つ以上の前記表示領域のそれぞれ毎に、対応する前記提供元と通信を行うことにより、対応する前記提供元に新たな画像データが存在するか否かを検出する。
この請求項５に記載の発明の画像表示装置によれば、表示画面内に設定される１つ以上の表示領域のそれぞれ毎に、対応する提供元と通信が行われることにより、対応する提供元に新たな画像データが存在するか否かが検出される。
【発明の効果】
【００２９】
この発明によれば、様々な格納先に格納されている静止画像データ等の画像データを効率よく利用できるようにし、画像データの利用に際し、ユーザーの利便性を向上させることができる。
【発明を実施するための最良の形態】
【００３０】
以下、図を参照しながら、この発明の一実施の形態が適用された装置、方法、プログラムについて説明する。以下に説明する実施の形態においては、この発明を比較的に表示画面の小さな表示素子を備え、静止画像や動画像を表示することができると共に、音声についても再生可能な画像表示装置に適用した場合を例にして説明する。
【００３１】
［画像表示装置の外観について］
図１、図２は、この実施の形態の画像表示装置の外観的な構成を説明するための図である。ここで、図１は、画像表示装置を正面側の斜め方向から見た図であり、図２は、画像表示装置を背面側の斜め方向から見た図である。
【００３２】
この例の画像表示装置１０は、上述もしたように、静止画像などの画像を再生表示し、音楽などの音声を再生出力することができるものである。
【００３３】
具体的に、正面側から見ると、図１に示すように、表示装置筐体の前面を覆うベゼル１１の背後に、ベゼル１１の窓１１ａを覆うように、ＰＭＭＡ（ポリメチルメタアクリレート）などの光透過性材料によって形成されたフロントパネル１２が取り付けられている。
【００３４】
フロントパネル１２の背後には、ＬＣＤおよびバックライトを含むＬＣＤパネル１３が取り付けられている。ＬＣＤパネル１３のＬＣＤは、その表示画面の大きさが例えば７インチ程度の比較的に小型のものである。
【００３５】
さらに、表示装置筐体の側縁下部に、ＰＭＭＡなどの光透過性材料によって形成されたスタンド５１が取り付けられている。なお、図示しないが、表示装置筐体内には、ＬＣＤパネル１３の背後に、複数の基板が取り付けられている。
【００３６】
そして、図２に示すように、画像表示装置１０の表示装置筐体の背面２１には、リアカバー２２が取り付けられている。リアカバー２２の、装置正面側から見て左側の側面２２ａ、および装置正面側から見て右側の側面２２ｂには、それぞれ微細な放音用の穴２３ａおよび２３ｂが多数形成され、その側面２２ａおよび２２ｂの内側上部に、左右のスピーカが取り付けられる。
【００３７】
リアカバー２２の１つのコーナーに近い位置には、ＵＳＢ（Universal Serial Bus）端子２４が設けられる。また、リアカバー２２の下方の、装置背面側から見て右側の位置には、スライド式の無線ＬＡＮ（Local Area Network）スイッチ２５が設けられる。また、リアカバー２２の下方の、装置背面側から見て左側の位置には、支持脚２６が取り付けられる。
【００３８】
支持脚２６は、背面２１に取り付けられた一端を支点に回転させることができ、画像表示装置１０をデスク上などに立て掛けることができるものである。
【００３９】
さらに、図２に示すように、リアカバー２２の下側の側面には、スロット２７、２８および２９が形成され、そのスロット２７、２８および２９に、メモリースティック（登録商標）などの３種のカード状ないしスティック状のメモリ３７、３８および３９が挿入される。
【００４０】
図２に示すように、背面２１の上部には、電源ボタンなどの操作ボタンからなるパネル操作部４１が設けられる。
【００４１】
［画像表示装置１０の構成及び機能］
＜接続構成＞
図３に、画像表示装置１０の接続構成の一例を示す。図３に示すように、ＬＣＤパネル１３は、ＬＣＤ１４およびバックライト１５を含むものである。そして、画像表示装置１０は、メインＣＰＵ３１およびサブＣＰＵ３２を備えている。
【００４２】
サブＣＰＵ３２には、受光部５６、明るさセンサ４２、温度センサ４３、上記のパネル操作部４１および無線ＬＡＮスイッチ２５が接続される。
【００４３】
受光部５６、導光部品５４および上記の透明外装部品（スタンド）５１は、受光装置５０を構成している。リモートコントローラ６０の赤外線発光部６１から出射した信号光１は、透明外装部品５１および導光部品５４を介して受光部５６に入射し、受光部５６内の受光素子５７で検出される。
【００４４】
明るさセンサ４２は、図１、図２では省略したが、これによって検出された、画像表示装置１０の周辺の明るさに応じて、ＬＣＤ１４の明るさを制御するためのものである。具体的に、周辺が明るいときには、ＬＣＤ１４の明るさも高くし、周辺が暗いときには、ＬＣＤ１４の明るさも低くする。
【００４５】
温度センサ４３は、図１、図２では省略したが、これによって検出された、画像表示装置１０の周辺の温度（気温）を、ＬＣＤ１４上に表示するためのものである。
【００４６】
メインＣＰＵ３１には、フラッシュメモリ３３、およびＲＡＭ（Random Access Memory）からなるメインメモリ３４が接続される。フラッシュメモリ３３には、あらかじめ、必要な各種のプログラムおよび静止画像データや音楽データなどのデータが書き込まれる。
【００４７】
メインメモリ３４には、静止画像データや音楽データなどのデータが、静止画像の再生表示用や音楽の再生出力用などに展開され、一時記憶される。これらの静止画像データや音楽データなどは、後述のように画像表示装置１０がサーバに接続することによってサーバから取得したり、または上記のメモリ３７、３８または３９から取得したりするものである。
【００４８】
また、メインＣＰＵ３１には、ＬＣＤ制御回路４４、バックライト制御回路４５および音声処理部４６が接続され、音声処理部４６の出力側に、上記の左右のスピーカ４７Ｌおよび４７Ｒが接続される。音声処理部４６は、音楽データなどのデジタル音声データをアナログ音声信号に変換するＤ／Ａコンバータ、および音声増幅回路を含む。
【００４９】
また、メインＣＰＵ３１には、無線ＬＡＮモジュール４８が接続され、無線ＬＡＮモジュール４８に、内蔵アンテナ４９が接続される。
【００５０】
また、メインＣＰＵ３１には、ＵＳＢインタフェース３５を介して、上記のＵＳＢ端子２４およびメモリ制御回路３６が接続され、メモリ制御回路３６に、上記のスロット２７、２８および２９に挿入されたメモリ３７、３８および３９が接続される。
【００５１】
また、メインＣＰＵ３１には、時計回路４０が接続される。時計回路４０は、カレンダ機能を備え、現在年月日、現在曜日、現在時刻を提供することができるものである。
【００５２】
さらに、メインＣＰＵ３１には、新着ＬＥＤ（Light Emitting Diode）７０が接続される。この新着ＬＥＤ７０は、図１には示さなかったが、点灯され発光するようにされた場合に少なくともその光が、当該画像表示装置１０の正面側から観視可能な位置に設けられる。そして、この新着ＬＥＤ７０は、後述する「シェアフレーム」の機能によって表示可能な新たな静止画像データが発生した場合に、これを通知するために点灯させるものである。
【００５３】
＜機能＞
以上の構成の画像表示装置１０では、インターネット上の所定のサーバ装置や、ＬＡＮ上のホームサーバや、内蔵メモリや自機に接続された外部メモリなどからコンテンツデータを得て、これを再生することができる。なお、取得可能なコンテンツデータとしては、静止画像データ、動画像データ、グラフィックスデータ、テキストデータ、音楽データなどである。
【００５４】
ここでは、ＬＡＮ上のホームサーバから静止画像データを得て再生する場合について説明する。無線ＬＡＮスイッチ２５を、図２に示すように装置背面側から見て右方にスライドさせ、オンにすることによって、所定のホームサーバに接続し、それぞれに記録されているコンテンツデータを得て、これを再生することができる。
【００５５】
この場合、接続先のホームサーバとしては、大容量のハードディスク記憶装置を備えるＰＣ（Personal Computer）やハードディスクレコーダーなどのメインホームサーバ、またはノートＰＣなどのサブホームサーバなどである。
【００５６】
そして、リモートコントローラ６０での操作によって、ＬＣＤ１４上には、接続可能なホームサーバを選択するための接続先選択画面が表示される。ユーザーが接続先のホームサーバを選択すると、メインＣＰＵ３１は、無線ＬＡＮモジュール４８によって、ユーザーが選択したホームサーバに接続する。
【００５７】
これによって、例えば、まず、ＬＣＤ１４上には、ユーザーが選択したホームサーバに記録されている各フォルダが、フォルダ選択画面として表示される。そして、リモートコントローラ６０での操作によって、その中からユーザーがフォルダを選択すると、ＬＣＤ１４上には、その選択されたフォルダ内の各ファイルが、ファイル選択画面として表示される。
【００５８】
この状態で、リモートコントローラ６０を通じて、ユーザーがファイルを選択すると、ＬＣＤ１４上には、その選択されたファイルの写真画像が拡大表示される。さらに、ユーザーがスライドショー表示を指示すると、ＬＣＤ１４上には、当該のフォルダ内の各ファイルの写真画像が順次拡大表示される。
【００５９】
また、ＵＳＢケーブルにより画像表示装置１０と、種々の外部機器とを接続することによっても、同様にして、外部機器の記録媒体に保持されている静止画像や音楽を再生することができる。
【００６０】
また、メモリ３７、３８または３９をスロット２７、２８または２９に挿入することによっても、またはＵＳＢ端子付きメモリをＵＳＢ端子２４に装着することによっても、同様に静止画像や音楽を再生することができる。
【００６１】
さらに、この実施の形態の画像表示装置１０は、ＬＡＮを経由してインターネット上の所定のサーバ装置にアクセスし、ニュースや天気予報、その他の種々の情報を得て、これを再生することもできるものである。
【００６２】
このように、この実施の形態の画像表示装置１０は、種々の媒体等のデータ提供元から静止画像データや動画像データ、音楽データ、テキストデータ、Ｗｅｂページ等の種々のデータの提供を受けて、これを再生することができるものである。
【００６３】
なお、データの提供元としては、まず、フラッシュメモリ３３などの内蔵メモリが挙げられる。また、メモリ制御回路３６を介して接続される種々の外部メモリが挙げられる。また、ＵＳＢ端子２４に接続されるＵＳＢメモリや外部機器が挙げられる。さらに、無線ＬＡＮモジュール４８、内蔵アンテナ４９を通じて接続されるＬＡＮ上の種々の外部機器や、当該ＬＡＮを通じて接続するようにインターネット上の種々のサーバ装置などが挙げられる。
【００６４】
また、静止画像や動画像の表示時においては、メインＣＰＵ３１は、時計回路４０から現在年月日や現在曜日を取得して表示することにより、当該画像表示装置１０をカレンダとしても利用できるようにしている。また、メインＣＰＵ３１は、時計回路４０から現在時刻を取得してこれを表示することにより、当該画像表示装置１０を時計としても利用できるようにしている。
【００６５】
［「フレーム」という概念に基づく新機能について］
そして、この実施の形態の画像表示装置１０は、静止画像データの利用について、上述したように、選択した画像ファイルの画像データによる画像の表示や、選択した画像フォルダの画像データによる画像のスライドショー表示ができるだけではない。
【００６６】
この実施の形態の画像表示装置１０は、フォルダ、メディアなどのアクセス先とそのアクセス先から得られるコンテンツデータの出力態様とを関連付けた「フレーム」と言う新たな考え方に基づいて、種々の新たな機能を実現している。
【００６７】
［静止画像の出力態様について］
ここで、この実施の形態の画像表示装置１０におけるコンテンツデータが静止画像データである場合の出力態様（表示態様）について説明する。図４は、この実施の形態の画像表示装置１０において選択可能な、静止画像を表示する場合の出力態様（表示態様）について説明するための図である。
【００６８】
この実施の形態の画像表示装置１０においては、図４Ａ〜Ｄに示すように、４つの表示態様のいずれかで、静止画像データによる静止画像を固定的に表示したり、あるいは表示する静止画像を順次に変更するようにして多数の静止画像を表示したりすることができるようにしている。
【００６９】
図４Ａは、ＬＣＤ１４の表示画面１４Ｇの全面に１枚の静止画像（画像Ａ）と、日付表示ｄｔとが表示される場合を示したものである。
【００７０】
また、図４Ｂは、ＬＣＤ１４の表示画面１４Ｇを左右に２等分し、一方に画像Ａ、他方に画像Ｂと言うように、１画面中に２枚の静止画像を同時に表示させると共に、表示画面の下側には、図４Ａの場合と同様に、日付表示ｄｔがなされるものである。
【００７１】
また、図４Ｃは、ＬＣＤ１４の表示画面１４Ｇを左右方向に２等分すると共に、上下方向にも２等分することにより４つの表示領域を形成し、その内の３つの表示領域に画像Ａ、Ｂ、Ｃを表示し、残りの１つの表示領域を日付表示領域として日付表示ｄｔがなされるものである。
【００７２】
この図４Ｃに示した表示態様の場合には、表示画面１４Ｇの左下の１／４（４分の１）の表示領域が、日付表示領域とされた場合を示している。なお、他の1／４の表示領域を日付表示領域とすることも可能である。なお、どの1／４の表示領域を日付表示領域とするかは、製造時に予め決めるようにされる。しかし、ユーザーによって、変更することもできるようにしてもよい。
【００７３】
また、図４Ｄは、図４Ｃの場合と同様に、ＬＣＤ１４の表示画面１４Ｇを左右方向に２等分すると共に、上下方向にも２等分することにより４つの表示領域を形成し、４つの表示領域のそれぞれに、画像Ａ、Ｂ、Ｃ、Ｄを表示するようにしたものである。また、この図４Ｄに示した例の場合、表示画面の下側には、図４Ａ、図４Ｂに示した表示態様の場合と同様に、日付表示ｄｔを表示するようにしている。
【００７４】
なお、図４において、日付表示ｄｔは、「２月２２日（金）」という表示である。この日付表示ｄｔは、メインＣＰＵ３１に接続された時計回路４０から提供される現在年月日及び現在曜日に基づいて表示されるものである。この日付表示ｄｔによって、この実施の形態の画像表示装置１０のカレンダ機能が実現される。
【００７５】
また、図４においては、日付表示ｄｔを行うものとして説明したが、日付表示ｄｔに替えて時刻表示を行うこともできるようにされている。また、時刻表示は、デジタル表示として、例えば、「午後１：３０」などのように１２時間表現したものと、「１３：３０」などのように２４時間表現したものとのいずれかを用いることができる。
【００７６】
また、アナログ表示として、時計のキャラクタを用い、長針と短針とにより時刻表示をすることもできるようにされている。どのような時刻表示を用いるかは、ユーザーが選択し、設定することができるようにしている。
【００７７】
そして、静止画像を順次に変更しながら表示する場合には、図４を用いて説明したように、１画面中の表示枚数に加えて、少なくとも表示を切り替える周期を示す表示切り替え時間を含めた情報が表示態様を示す情報となる。
【００７８】
このように、この実施の形態の画像表示装置１０においては、図４を用いて説明したように、４つの表示パターンを備え、これに表示切り替え時間や実行時間範囲をも考慮することによって、種々の表示態様で静止画像を表示することができるようにしている。
【００７９】
［シェアフレームについて］
そして、この実施の形態の画像表示装置１０においては、上述した「フレーム」という新たな考え方を用いた新たな機能の１つとして、「シェアフレーム」という機能を実現している。この「シェアフレーム」という機能の概要を示せば、以下のようになる。
【００８０】
「シェアフレーム」は、物理的に場所が離れている人たちの間で、写真（静止画像）を共有（share）することを目的とした機能である。図５は、「シェアフレーム」について説明するための図である。
【００８１】
図５において、アルバムＡ、アルバムＢ、アルバムＣ、アルバムＤが示すように、「シェアフレーム」においては、インターネット上のサーバ装置に設けられる写真共有サービスのアルバムなど、最大４つのアルバムにアクセスすることができるようにされる。このように、この明細書においてアルバムという文言は、主に、インターネットなどの所定のネットワーク上のサーバ装置に設けられているものである。
【００８２】
そして、「シェアフレーム」においては、図５に示すように、当該画像表示装置１０のＬＣＤ１４の表示画面１４Ｇを複数の表示領域に分割する。そして、分割するようにした同一画面上の異なる表示領域のそれぞれに、基本的に異なるアクセス先から得られる写真を表示する。なお、以下において、表示画面１４Ｇを分割することにより形成された各表示領域を「分割表示領域」あるいは単に「枠」と呼ぶこととする。
【００８３】
なお、図５において、アルバムＡ、アルバムＡ２が示すように、１つの分割表示領域（図５においては「枠Ａ」）に対して、複数のアルバム（写真の提供元）を登録することもできるようにしている。
【００８４】
また、図５において、各アルバムＡ、Ａ２、Ｂ、Ｃ、Ｄの横に示したＵＲＬ（Ａ）、（Ａ２）、（Ｂ）、（Ｃ）、（Ｄ）のそれぞれは、各アルバムの所在を示すＵＲＬ（Uniform Resource Locators）である。各アルバムのＵＲＬは、詳しくは後述するが、分割表示領域である各枠に対応して登録され、枠毎に、表示すべき写真を提供する提供元のアルバムを特定することができるようにされる。
【００８５】
そして、「シェアフレーム」では、アルバムの所有者の顔写真等のプロフィール用静止画や名前などの情報を、表示する写真に重畳して表示することにより、誰の写真であるかを識別することができるようにしている。また、「シェアフレーム」では、通常、アルバム内にある写真をスライドショー表示することができるようにしている。
【００８６】
なお、ここでアルバム所有者は、現にそのアルバムを所有している人物だけを意味するものではない。各アルバムにおいて、主な被写体となっている人物やそのアルバムの写真を撮影した人物などがアルバム所有者である場合もある。
【００８７】
例えば、写真共有サービスを利用する契約を親が行うことによりアルバムを開設し、そのアルバムに子供の写真を登録するようにした場合には、実際のアルバムの所有者は親であっても、使用上におけるアルバム所有者は子供になるといった場合が考えられる。
【００８８】
［「シェアフレーム」時の動作の概要について］
次に、この実施の形態の画像表示装置１０において、「シェアフレーム」時の動作の概要について説明する。図６〜図１０は、「シェアフレーム」に関連して、この実施の形態の画像表示装置１０において表示される表示画像の例について説明するための図である。
【００８９】
詳しくは後述もするが、図５に示したように、表示画面１４Ｇを分割することにより形成した各枠（分割表示領域）には、写真の提供元となるアルバムのＵＲＬが対応付けられている。
【００９０】
このため、この実施の形態の画像表示装置１０のメインＣＰＵ３１は、当該ＵＲＬを用いて定期的に目的とするアルバムにアクセスし、新しい写真がアルバムに追加されたかどうかを定期的に確認するようにしている。
【００９１】
そして、目的とするアルバムに写真が追加されていたことを検出した場合には、図３を用いて説明したように、メインＣＰＵ３１は、自己に接続されている新着ＬＥＤ７０を点灯する。これにより、新たに追加された写真が存在すること、すなわち新着の写真が存在することがユーザーに報知される。
【００９２】
なお、ここでは、新着ＬＥＤ７０を点灯させることにより、新着の写真が存在することを報知するようにしたが、これに限るものではない。新着ＬＥＤ７０を点滅させることにより、新着の写真が存在することを報知するようにしてもよい。
【００９３】
新着ＬＥＤが点灯あるいは点滅している場合、ユーザーは、この実施の形態の「ホーム」を調べ、「ＮＥＷ」マークが表示されているフレームを選択する。ここで、「ホーム」は、当該画像表示装置１０において実行可能な機能の選択項目が登録されたいわゆるメインメニューに相当するものである。このホームの表示は、メインＣＰＵ３１が、フラッシュメモリ３３に格納されている情報に基づいて形成し、ＬＣＤ制御回路４４を通じてＬＣＤ１４の表示画面に表示させるものである。
【００９４】
図６は、この実施の形態の画像表示装置１０の表示画面１４Ｇに表示されるいわゆる「ホーム」の表示画像の一例を示す図である。図６においては、実行可能な機能の選択項目として、ミュージックフレームＳ１、シェアフレームＳ２、ヘルプＳ３の３つの選択項目が表示されている場合を示している。
【００９５】
各選択項目には、その項目を代表する静止画像や、その項目の種類などを示す音符マーク、人型マーク、クエスチョンマークなどと、その項目の種類などを示す「ミュージック」、「シェア」、「ヘルプ」といった文字と、そのフレームのアクセス先やタイトルなどを示す「内蔵メモリ」、「ＡＡＡ：ＢＢＢ：ＣＣＣ」、「フレームを作成するには」等といった文字とが表示するようにされている。
【００９６】
そして、図６に示すように、選択項目であるシェアフレームＳ２の左上端部分には、当該シェアフレームにおいてアクセス可能なアルバムには、新たに追加された写真が存在することを示す「ＮＥＷ」マークＳ２１が表示されている。
【００９７】
この「ＮＥＷ」マーク２１が表示されているシェアフレームＳ２を選択することにより、新たに追加された写真を表示対象とするシェアフレームを実行し、新たに追加された写真等を表示することができるようにされる。
【００９８】
なお、「ホーム」には多数のフレームを作成して登録することができるようにされる。したがって、シェアフレームについても、表示画面の分割数やアクセス先のアルバムが異なる多数のシェアフレームを形成して「ホーム」に登録しておくことができるようにされる。
【００９９】
図６に示したように表示される「ホーム」において、表示画像をスクロールさせることにより、表示される選択項目を順次に変えて、目的とするフレームを見つけ出し、そのフレームを選択することができるようにされる。
【０１００】
そして、「ホーム」において、目的とする「シェアフレーム」を実行させるための選択項目を選択することにより、「シェアフレーム」による画像の表示が行われる。
【０１０１】
図７〜図１０は、「シェアフレーム」による画像の具体的な表示例を説明するための図である。このうち、図７は、２人のアルバムを同時に表示するようにした場合を示しており、表示画面２４Ｇを左右に２分割して、それぞれの分割表示領域である枠Ａと枠Ｂとに、異なるアルバムの写真を表示することができるようにしている。
【０１０２】
そして、枠Ａの下端側には、枠Ａに表示される写真の提供元であるアルバムの所有者のプロフィール用静止画像Ｕ１１と、当該所有者の名前表示Ｕ２１と、表示された画像の撮影日時情報の表示Ｕ３１とが表示される。
【０１０３】
同様に、枠Ｂの下端側には、枠Ｂに表示される写真の提供元であるアルバムの所有者のプロフィール用静止画像Ｕ１２と、当該所有者の名前表示Ｕ２２と、表示された画像の撮影日時情報の表示Ｕ３２とが表示される。
【０１０４】
これにより、表示された写真が誰の写真であるのかを明確に識別することができるようにされる。
【０１０５】
また、図８は、３人のアルバムを同時に表示するようにした場合を示しており、表示画面２４Ｇを左右に２分割すると共に、上下にも２分割することにより、全体を４分割する。そして、枠Ａ、枠Ｂ、枠Ｄには、それぞれの枠毎に異なるアルバムからの写真である画像Ａ、画像Ｂ、画像Ｃを表示する。さらに、あまった分割表示領域である枠Ｃには、時計回路４０から取得する現在時刻を表示するようにしている。
【０１０６】
そして、枠Ａの上端側には、枠Ａに表示される写真の提供元であるアルバムの所有者のプロフィール用静止画像Ｕ１１と、当該所有者の名前表示Ｕ２１と、表示された画像の撮影日時情報の表示Ｕ３１とが表示される。
【０１０７】
同様に、枠Ｂの上端側には、枠Ｂに表示される写真の提供元であるアルバムの所有者のプロフィール用静止画像Ｕ１２と、当該所有者の名前表示Ｕ２２と、表示された画像の撮影日時情報の表示Ｕ３２とが表示される。
【０１０８】
同様に、枠Ｄの下端側には、枠Ｄに表示される写真の提供元であるアルバムの所有者のプロフィール用静止画像Ｕ１３と、当該所有者の名前表示Ｕ２３と、表示された画像の撮影日時情報の表示Ｕ３３とが表示される。
【０１０９】
また、図９は、４人のアルバムを同時に表示するようにした場合を示しており、表示画面２４Ｇを左右に２分割すると共に、上下にも２分割することにより、全体を４分割する。そして、枠Ａ、枠Ｂ、枠Ｃ、枠Ｄには、それぞれの枠毎に異なるアルバムからの写真である画像Ａ、画像Ｂ、画像Ｃ、画像Ｄを表示する。
【０１１０】
そして、枠Ａの上端側には、枠Ａに表示される写真の提供元であるアルバムの所有者のプロフィール用静止画像Ｕ１１と、当該所有者の名前表示Ｕ２１と、表示された画像の撮影日時情報の表示Ｕ３１とが表示される。
【０１１１】
同様に、枠Ｂの上端側には、枠Ｂに表示される写真の提供元であるアルバムの所有者のプロフィール用静止画像Ｕ１２と、当該所有者の名前表示Ｕ２２と、表示された画像の撮影日時情報の表示Ｕ３２とが表示される。
【０１１２】
同様に、枠Ｃの下端側には、枠Ｃに表示される写真の提供元であるアルバムの所有者のプロフィール用静止画像Ｕ１３と、当該所有者の名前表示Ｕ２３と、表示された画像の撮影日時情報の表示Ｕ３３とが表示するようにされる。
【０１１３】
同様に、枠Ｄの下端側には、枠Ｄに表示される写真の提供元であるアルバムの所有者のプロフィール用静止画像Ｕ１４と、当該所有者の名前表示Ｕ２４と、表示された画像の撮影日時情報の表示Ｕ３４とが表示するようにされる。
【０１１４】
そして、図１０は、図８に示した場合と同様に、３人のアルバムを同時に表示するようにした場合を示している。そして、この図１０に示した例の場合には、枠Ａには、「ＮＥＷ」マーク（新着マーク）１４Ｎが表示され、当該枠Ａに表示される写真を提供するアルバム（写真データの提供元）には、追加された写真が存在すること示されている。
【０１１５】
このように、新たな写真が追加されたアルバムの写真を表示する枠（分割表示領域）には、「ＮＥＷ」マーク１４が示すように、新着マークが表示するようにされる。これにより、どの枠に新たな写真が存在するのかをユーザーは簡単に把握することができる。
【０１１６】
なお、図７〜図１０に示した例は、表示画面を複数の分割表示領域に分割したものである。しかし、写真を提供するアルバムが１だけの場合には、図４Ａに示したように、表示画面１４Ｇを１つの枠（分割表示領域）とし、ここに目的とするアルバムからの写真が表示するようにされる。
【０１１７】
［シェアフレーム情報の一例について］
次に、図５〜図１０を用いて説明したように、表示画面１４Ｇを分割することにより分割表示領域である枠を形成し、この枠毎に、異なるアルバムからの写真を表示するようにする「シェアフレーム」を実現するために必要になる情報について説明する。
【０１１８】
「シェアフレーム」を実現するためには、事前に「シェアフレーム」を作成する作業を行っておくことにより、「シェアフレーム」の機能により画像を表示できるようにするためのシェアフレーム情報（対応付け情報）をフラッシュメモリ３３に登録しておく。
【０１１９】
シェアフレーム情報は、以下に詳述するが、基本的に、表示画面をどのように分割し、分割して形成した分割表示領域毎（枠毎）に、表示する写真の提供元であるアルバムがどのアルバムであるかを対応付けるようにしたものである。以下、シェアフレーム情報の一例について説明する。
【０１２０】
図１１は、この実施の形態の画像表示装置１０において用いられるシェアフレーム情報の一例を説明するための図である。図１１に示すように、シェアフレーム情報は、ファイルとして管理される当該シェアフレーム情報自体を識別するためのファイルＩＤと、当該シェアフレームのタイトル（表題）とを有している。
【０１２１】
また、図１１に示すように、当該シェアフレームが、表示画面１４Ｇを何分割するものであるかを示す「１画面中の表示枚数」と、スライドショー表示する場合に、表示画像を切り替えるタイミングを示す「表示切り替え時間」と、その他の情報を有している。
【０１２２】
その他の情報としては、例えば、現在年月日と現在曜日とを表示するか、現在時刻を表示するのかを示す情報がある。また、現在時刻を表示する場合には、デジタル表示にするのか、アナログ表示にするのかを示す情報がある。また、デジタル表示の場合には、午前１時、午後１時と言うように、いわゆる１２時間表示にするのか、１時、１３時と言うように、いわゆる２４時間表示するのかなどを示す情報等がある。
【０１２３】
そして、この実施の形態の画像表示装置１０においては、「１画面中の表示枚数」が「２」であれば、図７に示したように、表示画面１４Ｇは左右に２分割にされ、２つの枠（枠Ａ、枠Ｂ）が、写真が表示される分割表示領域とされる。
【０１２４】
また、「１画面中の表示枚数」が「３」であれば、図８に示したように、表示画面１４Ｇは左右に２分割にされると共に、上下に２分割され、３つの枠（枠Ａ、枠Ｂ、枠Ｄ）が、写真が表示される分割表示領域とされる。
【０１２５】
また、また、「１画面中の表示枚数」が「４」であれば、図９に示したように、表示画面１４Ｇは左右に２分割にされると共に、上下に２分割され、４つの枠（枠Ａ、枠Ｂ、枠Ｃ、枠Ｄ）が分割表示領域とされる。
【０１２６】
そして、表示画面が分割されることにより形成される分割表示領域である枠毎に、ユーザー名、プロフィール写真（図１１では、プロフィール用静止画と記載）、アルバムＵＲＬが設定される。
【０１２７】
具体的には、図１１に示すように、枠ＩＤに対して、ユーザー名と、プロフィール写真と、アルバムＵＲＬとが対応付けられる。ここで、ユーザー名は、アルバムの所有者の名前であり、ニックネームや通称などであってもよい。
【０１２８】
また、プロフィール写真は、アルバムの所有者の顔写真のファイル名やアルバムの所有者を象徴する写真等の画像のファイル名である。また、アルバムＵＲＬは、上述もしたように、表示画面１４Ｇを分割することにより形成される枠毎に設定される、写真を提供するアルバム（写真の提供元）の所在を示すものである。
【０１２９】
なお、各枠に対しては、複数のアルバムＵＲＬを対応付けることができるようにされている。例えば、図１１に示した例の場合、枠Ａに対しては、ＵＲＬ（Ａ）とＵＲＬ（Ａ２）との２つのＵＲＬが対応付けられている。また、枠Ｂに対しては、ＵＲＬ（Ｂ）と、ＵＲＬ（Ｂ２）と、ＵＲＬ（Ｂ３）との３つのＵＲＬが対応付けられている。
【０１３０】
これらの情報により、表示画面を分割することにより形成される枠毎に、対応付けられているＵＲＬに基づいて、目的とするアルバムの写真データ（静止画像データ）を確認し、新たな写真が存在するか否かを確認することができる。
【０１３１】
そして、新たに追加された写真データが存在するか否かを確認し、新たな写真データが存在する場合にその写真の当該アルバムへの登録日時が、更新日時（ｌａｔｅｓｔ）として更新するようにされている。また、新たな写真データがあることを検出した場合には、新着フラグがオン（値「１」）となるようにされる。
【０１３２】
これにより、表示画面が分割されて形成される枠毎に、新たに追加された写真データが存在するか否か、存在する場合にはその写真データの追加はいつ行われたのかを、このシェアフレーム情報によって把握することができるようにされる。
【０１３３】
シェアフレームの機能を利用しようとする場合には、このようなシェアフレーム情報を予め画像表示装置１０のフラッシュメモリ３３に登録しておく。これにより、図６を用いて説明したように、「ホーム」に当該「シェアフレーム」の選択項目を形成し、これを選択するだけで、図７〜図１０に示した態様で、写真の表示を行うことができるようにされる。
【０１３４】
［シェアフレーム情報の登録処理について］
次に、図１１にその一例を示して説明したように形成されるシェアフレーム情報の登録処理について説明する。図１２は、シェアフレーム情報の登録処理の一例を説明するためのフローチャートである。この図１２に示す処理は、この実施の形態の画像表示装置１０において、パネル操作部４１等を通じて、「シェアフレーム」を作成するようにする操作が行われた場合に、主にメインＣＰＵ３１とサブＣＰＵ３２において実行される処理である。
【０１３５】
そして、この例の場合、メインＣＰＵ３１は、まず、サブＣＰＵ３１及びパネル操作部４１あるいはリモートコントローラ６０を通じて、当該「シェアフレーム」のタイトルの入力を受け付ける（ステップＳ１０１）。ここでは、例えば、簡単な文字入力を行うことができる。
【０１３６】
次に、メインＣＰＵ３１は、サブＣＰＵ３２及びパネル操作部４１等を通じて１画面の表示枚数（１画面に表示する画像の表示枚数）Ｎの選択入力を受け付ける（ステップＳ１０２）。このステップＳ１０２の処理においては、１画面中に表示する静止画像の表示枚数であり、図４を用いて説明したように、１枚（図４Ａ）、２枚（図４Ｂ）、３枚（図４Ｃ）、４枚（図４Ｄ）の中から目的とするものの選択入力を受け付ける。
【０１３７】
そして、メインＣＰＵ３１は、サブＣＰＵ３２及びパネル操作部４１等を通じて表示切り替え時間ｔの選択入力を受け付ける（ステップＳ１０３）。表示切り替え時間ｔは、ＬＣＤ１４の表示画面１４Ｇに表示する画像の表示時間を示すものである。具体的には、「１５秒」、「１分」、「１０分」、「３０分」、「１時間」、「４時間」、「切り替えない」などの中から選択可能なものである。
【０１３８】
そして、メインＣＰＵ３１は、サブＣＰＵ３２及びパネル操作部４１等を通じて、表示画面を分割することにより形成される枠毎に、ユーザー名、プロフィール写真のファイル名、アルバムＵＲＬの入力を受け付ける（ステップＳ１０４）。このステップＳ１０４の処理においては、図１１に示したように、枠毎に、ユーザー名、プロフィール写真のファイル名をそれぞれ１つ入力することができると共に、枠毎に１つ以上のアルバムＵＲＬを入力することができるようにされる。
【０１３９】
この後、メインＣＰＵ３１は、サブＣＰＵ３２及びパネル操作部４１等を通じて確認入力を受け付ける（ステップＳ１０５）。そして、メインＣＰＵ３１は、ステップＳ１０５で受け付けた確認入力は、種々の情報の選択入力が間違いないことを示すものか否か（「ＯＫ」か否か）を判断する（ステップＳ１０６）。
【０１４０】
ステップＳ１０６の判断処理において、ステップＳ１０５で受け付けた確認入力が、「Ｂａｃｋ」や「Ｎｏ」などが選択され、種々の情報の選択入力が間違いないことを示すものではないと判断したときには、ステップＳ１０１からの処理を繰り返す。これにより、種々の情報の再度の選択入力を行うことができるようにされる。
【０１４１】
ステップＳ１０６の判断処理において、ステップＳ１０５で受け付けた確認入力が、種々の情報の選択入力が間違いないことを示すものであると判断したときには、メインＣＰＵ３１は、新しいシェアフレーム情報を生成して登録する処理（新しい「シェアフレーム」を登録する処理）を行う（ステップＳ１０７）。そして、この図１２に示すシェアフレーム情報の登録処理を終了する。
【０１４２】
なお、ステップＳ１０７の処理においては、ステップＳ１０１〜ステップＳ１０４において受け付けた種々の情報を関連付けて、図１１を示した態様のシェアフレーム情報を形成する。そして、形成したシェアフレーム情報を、所定のメモリに登録すると共に、当該「シェアフレーム」をいわゆるメニューに相当する「ホーム」に対して選択可能なように登録する。この実施の形態の画像表示装置１０において、シェアフレーム情報の登録先は、フラッシュメモリ３３であるものとして説明する。
【０１４３】
このようにして、図１１に示した態様のシェアフレーム情報が、メインＣＰＵ３１に接続されたフラッシュメモリ３３に形成されて保持される。
【０１４４】
［新着データの有無の確認処理について］
次に、図１１に示したように、この実施の形態の画像表示装置１０のフラッシュメモリ３３に形成されるシェアフレーム情報に基づいて行われる新着データの確認処理について説明する。
【０１４５】
以下に説明する新着データの確認処理は、表示画面１４Ｇが分割するようにされて形成された枠（分割表示領域）毎に、当該枠に表示させる写真データを提供する提供元のアルバムに対して新たに追加されたデータが存在するか否かを確認するものである。このため、枠毎に対応付けられるアルバムのそれぞれが有する写真リストを取得し、その写真リストに基づいて、新着データが存在するか否かを判断するようにしている。
【０１４６】
図１３は、インターネット上のサーバ装置などに設けられる写真のアルバムの記録情報の一例について説明するための図である。インターネット上のサーバ装置に設けられるこの例のアルバムは、写真リストと写真データ（写真データファイル）とからなっている。
【０１４７】
すなわち、図１３に示すように、インターネット上のサーバ装置に形成されるアルバムには、ユーザーからの多数の写真データ（写真データファイル）が格納されると共に、格納された写真データの一覧リストが写真リストとして形成される。
【０１４８】
図１４は、インターネット上のサーバ装置に設けられる写真のアルバムの管理情報である写真リストの一例を説明するための図である。図１４に示すように、写真リストは、ファイル名、撮影日時、画像サイズ、追加日時を有するものである。
【０１４９】
ファイル名は、当該アルバムに登録された写真データを一意に特定可能なものである。撮影日時は、その写真データの撮影日時を示すものである。また、画像サイズは、その写真のサイズを示すものであり、例えば、縦と横のドット数によって示されるものである。また、追加日時は、その写真データが当該アルバムに追加されたときの日時を示す情報である。
【０１５０】
この写真リストにより、インターネット上のサーバ装置に形成されるアルバムに登録されている写真データのそれぞれは、いつ撮影されたもので、その大きさ（サイズ）はどれ位のもので、当該アルバムにいつ追加されたものかを知ることができるようにされる。
【０１５１】
そして、この実施の形態の画像表示装置１０においては、図１１を用いて説明したように、枠毎に対応付けられるアルバムについて、新着の写真データが存在するか否かを、所定のタイミング毎に確認するようにしている。
【０１５２】
図１５は、この実施の形態の画像表示装置１０において行われる、新着データの確認処理について説明するための図である。この図１５に示す処理は、図１１を用いて説明したシェアフレーム情報が登録された後に、当該シェアフレーム情報に基づいて実行され、当該シェアフレーム情報自体が削除されたり、枠に対応するアルバムの指定が削除されたりした場合に終了する処理である。
【０１５３】
したがって、図１５に示す処理は、例えシェアフレームの機能が実行するようにされていなくても、適宜のタイミング新着データの有無の確認を行うことができるようにしている。
【０１５４】
シェアフレーム情報がフラッシュメモリ３３に登録されると、メインＣＰＵ３１は、図１１を用いて説明したように、登録された枠（分割表示領域）毎に、図１５に示す処理を実行する。
【０１５５】
まず、メインＣＰＵ３１は、フラッシュメモリ３３に登録されたシェアフレーム情報に基づいて、当該枠に写真データを提供するインターネット上のサーバ装置に設けられたアルバムにアクセスし、当該アルバムの写真リストを取得する（ステップＳ２０１）。ここで取得される写真リストは、図１４を用いて説明した構成を有するものである。
【０１５６】
メインＣＰＵ３１は、取得した写真リストの追加日時を参照し、最新の写真（写真データ）を検索する（ステップＳ２０２）。ステップＳ２０２では、追加日時が一番若い（最新）の写真データを特定する。
【０１５７】
次に、メインＣＰＵ３１は、ステップＳ２０２において特定した最新の写真データの追加日時（最新日時）を変数「ｌａｔｅｓｔ」にセットする（ステップＳ２０３）。そして、メインＣＰＵ３１は、次のリスト取得時間を設定する（ステップＳ２０４）。
【０１５８】
この２０４において設定される次のリスト時間は予め決められたものである。例えば、１時間おき、２時間おき、３時間おきなどのように、１時間単位に設定したり、あるいは、毎日の午前０時など、予め決められた時間を設定したりすることができるようにされる。
【０１５９】
この実施の形態の画像表示装置１０においては、例えば、６時間おきに１日４回、写真リストを取得することができるように予め設定されているものとする。この場合、メインＣＰＵ３１は、ステップＳ２０４において、６時間後の時間を設定することになる。
【０１６０】
そして、メインＣＰＵ３１は、接続されている時計回路４０の現在時間を監視し、取得時間になったか否かを判断する（ステップＳ２０５）。ステップＳ２０５の判断処理において、次の取得時間になっていないと判断したときには、ステップＳ２０５からの処理を繰り返し、次の取得時間が到来するまで待ち状態となるようにされる。
【０１６１】
ステップＳ２０５の判断処理において、次の取得時間が到来したと判断したときには、メインＣＰＵ３１は、ステップＳ２０１において参照したシェアフレーム情報を参照し、対象が削除されたか否かを確認する（ステップＳ２０６）。
【０１６２】
このステップＳ２０６の処理は、主に以下の観点から対象が削除されたか否か判断する。まず、参照したシェアフレーム情報の該当する枠に対して登録するようにされているべきアルバムＵＲＬが削除されている場合には対象が削除されたと判断する。また、目的とするシェアフレーム情報自体が削除されている場合にも対象が削除されたと判断する。また、インターネット上のサーバ装置にあるべきアルバムにアクセスできない場合にも、対象が削除されたと判断する。
【０１６３】
そして、ステップＳ２０６の判断処理において、対象が削除されていると判断したときには、メインＣＰＵ３１は、この図１５に示す処理を終了する。
【０１６４】
また、ステップＳ２０６の判断処理において、対象は削除されていないと判断したときには、メインＣＰＵは、上述したステップＳ２０１の処理と同様の処理を行う。すなわち、メインＣＰＵ３１は、フラッシュメモリ３３に登録されたシェアフレーム情報に基づいて、当該枠に写真データを提供するインターネット上のサーバ装置に設けられたアルバムにアクセスし、当該アルバムの写真リストを取得する（ステップＳ２０７）。
【０１６５】
次に、メインＣＰＵは、上述したステップＳ２０２の処理と同様の処理を行う。すなわち、メインＣＰＵ３１は、取得した写真リストの追加日時を参照し、最新の写真（写真データ）を検索する（ステップＳ２０８）。
【０１６６】
次に、メインＣＰＵ３１は、ステップＳ２０８において特定した最新の写真データの追加日時（最新日時）を変数「ｔｉｍｅ」にセットする（ステップＳ２０９）。そして、メインＣＰＵ３１は、ステップＳ２０３においてセットした変数「ｌａｔｅｓｔ」よりも、ステップＳ２０９でセットした変数「ｔｉｍｅ」が大きいか否かを判断する（ステップＳ２１０）。
【０１６７】
このステップＳ２１０の判断処理は、変数「ｌａｔｅｓｔ」の値よりも、変数「ｔｉｍｅ」の値の方が新しいか否かを判断するものである。すなわち、ステップＳ２１０の判断処理は、当該枠に写真データを提供するアルバムに、新たな写真データが追加されたか否かを判断するものである。
【０１６８】
そして、ステップＳ２１０の判断処理において、変数「ｌａｔｅｓｔ」よりも、変数「ｔｉｍｅ」は大きくないと判断したときには、新たな写真データは追加されていないと判断することができる。この場合には、メインＣＰＵ３１は、ステップＳ２０４からの処理を繰り返すようにする。
【０１６９】
ステップＳ２１０の判断処理において、変数「ｌａｔｅｓｔ」よりも、変数「ｔｉｍｅ」が大きいと判断したときには、新たな写真データが追加されたと判断することができる。この場合には、メインＣＰＵ３１は、変数「ｌａｔｅｓｔ」に変数「ｔｉｍｅ」の値をセットする（ステップＳ２１１）。
【０１７０】
そして、メインＣＰＵ３１は、新着ＬＥＤ７０を制御して、当該新着ＬＥＤを点灯させる（ステップＳ２１２）。次に、メインＣＰＵ３１は、参照するようにしているシェアフレーム情報の対応する枠の新着フラグをオン（「１」）にすると共に、更新日時に変数「ｌａｔｅｓｔ」の値をセットする（ステップＳ２１３）。この後、ステップＳ２０４からの処理を繰り返すようにする。
【０１７１】
このように、図１５に示す処理は、ステップＳ２０４〜ステップＳ２１３までの処理が、対象が存在しなくなるまで予め決められたタイミング毎に繰り返し行われる。これにより、シェアフレームの機能により表示する写真に、新たに表示可能になったものが存在するか否かを確実に検出し、これをユーザーに通知することができるようにされる。
【０１７２】
［シェアフレームによる写真の表示処理について］
次に、シェアフレームの機能により写真を表示する場合の処理について説明する。図１６、図１７は、シェアフレームによる写真の表示処理を説明するためのフローチャートである。
【０１７３】
この図１６、図１７に示す処理は、図６を用いて説明したように、ホーム（選択メニューに相当）に表示された目的とするシェアフレームの選択項目を選択することにより、主にメインＣＰＵ３１とサブＣＰＵ３２とによって実行される。
【０１７４】
まず、メインＣＰＵ３１は、ユーザーによって実行が指示されたシェアフレームのシェアフレーム情報をフラッシュメモリ３３からメインメモリ３４に読み込む（ステップＳ３０１）。このシェアフレーム情報は、図１２を用いて説明した処理により、図１１に示したように構成されるシェアフレーム情報であって、図１５に示した処理により、所定のタイミング毎に、更新日時と新着フラグとが更新されるものである。
【０１７５】
そして、メインＣＰＵ３１は、読み込んだシェアフレーム情報のプロフィール写真の情報に基づいて、枠（分割表示領域）毎のプロフィール写真の画像データを、該当するファイルからメインメモリ３４に読み込み、枠毎に表示できるようにする（ステップＳ３０２）。また、ステップＳ３０２においては、シェアフレーム情報のユーザー名の情報に基づいて、枠毎に表示できるようにすることも行われる。
【０１７６】
次に、メインＣＰＵ３１は、読み込んだシェアフレーム情報の枠毎のアルバムＵＲＬに基づいて、各枠に表示する写真の写真データをメインメモリ３４に読み込む処理を開始する（ステップＳ３０３）。
【０１７７】
そして、メインＣＰＵ３１は、各枠に表示する写真の写真データの読み込みが完了したか否かを判断する（ステップＳ３０４）。ステップＳ３０４の判断処理において、まだ読み込みが完了していないと判断したときには、メインＣＰＵ３１は、読み込みは失敗か否かを判断する（ステップＳ３０５）。
【０１７８】
このステップＳ３０５の判断処理は、例えば、アクセス先のアルバムから応答が無かったり、写真データが送信されてこなかったりするなどのことなく、正常に写真データが取得できているか否かを判断する処理である。
【０１７９】
ステップＳ３０５の判断処理において、写真データの読み込みは失敗したと判断したときには、メインＣＰＵ３１は、写真データの読み込みができなかったことを通知するメッセージを表示し（ステップＳ３０６）、この図１６、図１７に示す処理を終了する。具体的に、ステップＳ３０６においては、メインＣＰＵ３１は、写真データの読み込みができなかったことを通知するメッセージを形成し、これをＬＣＤ制御回路４４等を制御してＬＣＤ１４の表示画面１４Ｇに表示する。この後に、この図１６、図１７に示す処理を終了する。
【０１８０】
ステップＳ３０５の判断処理において、写真データの読み込みは失敗していないと判断したときには、メインＣＰＵ３１は、写真データのローディング中であることを通知するメッセージを表示し（ステップＳ３０７）、ステップＳ３０４からの処理を繰り返すようにする。つまり、ステップＳ３０７においては、メインＣＰＵ３１は、写真データのローディング中であることを通知するメッセージを形成し、これをＬＣＤ制御回路４４等を制御してＬＣＤ１４の表示画面１４Ｇに表示する。この後に、ステップＳ３０４からの処理を繰り返す。
【０１８１】
ステップＳ３０４の判断処理において、読み込みが完了したと判断したときには、メインＣＰＵ３１は、シェアフレーム情報に応じて、表示画面を分割して形成される枠毎に、読み込まれた写真データによる写真を表示する処理を行う（ステップＳ３０８）。
【０１８２】
このステップＳ３０８の処理は、シェアフレーム情報に基づいて、表示画面１４Ｇを指示された数の枠（分割表示領域）に分割し、そのそれぞれに対してメインメモリ３４に読み込んだ写真データに応じた写真を表示する表示画像をメインメモリ３４に形成する。そして、メインＣＰＵ３１は、この形成した表示画像をＬＣＤ制御部４４を通じてＬＣＤ１４に供給し、その表示画面１４Ｇに表示する。また、枠毎に表示される写真の撮影日時も表示するようにされる。
【０１８３】
この後、メインＣＰＵ３１は、図１７の処理に進み、ステップＳ３０１においてメインメモリ３４に読み込んだシェアフレーム情報の新着フラグを参照し、枠毎に新着データがあるか否かを判断する（ステップＳ３０９）。
【０１８４】
ステップＳ３０９の判断処理において、新着データがあると判断したときには、図９を用いて説明したように、対応する枠（分割表示領域）内に、新着データが存在することを示す新着マーク「ＮＥＷ」を表示する（ステップＳ３１０）。
【０１８５】
そして、ステップＳ３０９の判断処理において、新着データは無いと判断したとき、及び、ステップＳ３１０の新着マークの表示処理の後においては、次に表示すべき写真の写真データを読み込む処理を行う（ステップＳ３１１）。
【０１８６】
このステップＳ３１１の処理は、ステップＳ３０３の処理と同様に、ステップＳ３０１において読み込んだシェアフレーム情報の枠毎のアルバムＵＲＬに基づいて、各枠に表示する写真の写真データをメインメモリ３４に読み込む処理の開始処理である。
【０１８７】
そして、メインＣＰＵ３１は、イベント待ちとなる（ステップＳ３１２）。このステップＳ３１２の処理は、新着データが存在する場合と存在しない場合とでは異なることになる。すなわち、新着データが存在し、新着マーク「ＮＥＷ」が表示されている場合には、パネル操作部４１やリモートコントローラ６０を通じてのユーザーからの操作入力の発生が、イベントの発生になる。
【０１８８】
また、新着データが存在しない場合には、シェアフレーム情報に設定するようにされている表示切り替え時間の経過か、パネル操作部４１やリモートコントローラ６０を通じてのユーザーからの操作入力の発生が、イベントの発生になる。なお、表示切り替え時間の経過は、現在表示されている写真の表示開始からの時間が、設定された表示切り替え時間を越えた場合にイベントの発生とみなすものである。
【０１８９】
なお、新着データが存在する場合において、ユーザーからの操作入力のみをイベントの発生としているのは、新着データによる写真をユーザーが確実に見ることができるようにするためである。
【０１９０】
この後、メインＣＰＵ３１は、ユーザーによって終了操作が行われたり、表示すべき写真の全てを表示したりするなど、シェアフレームによる写真の表示処理を終了させるべき事象が発生したか否かを判断する（ステップＳ３１３）。
【０１９１】
ステップＳ３１３の判断処理において、シェアフレームによる写真の表示処理を終了させるべき事象が発生したと判断したときには、メインＣＰＵ３１は、終了処理を実行する（ステップＳ３１４）。
【０１９２】
このステップＳ３１４の終了処理には、複数の処理が含まれる。例えば、新着データが存在していた場合に、その全部を表示するようにした場合には、シェアフレーム情報の該当する新着フラグをオフ（「０」）にする処理が含まれる。全て表示するようにしたか否かは、対応付けられているアルバムの写真データを全て利用したか否かに基づいて判断することができる。
【０１９３】
また、終了処理には、他の全てのシェアフレーム情報をも参照し、新着フラグが全てオフ（「０」）である場合には、新着ＬＥＤを消灯させる処理が含まれる。また、終了処理には、メインメモリ３４に読み出した種々のデータを消去し、空き領域を確保する処理も含まれる。
【０１９４】
このように、ステップＳ３１４において実行される種々の処理からなる終了処理が終了した場合に、この図１６、図１７に示した処理も終了する。
【０１９５】
また、ステップＳ３１３の判断処理において、シェアフレームによる写真の表示処理を終了させるべき事象は発生していないと判断したときには、メインＣＰＵ３１は、各枠に表示する写真の写真データの読み込みが完了したか否かを判断する（ステップＳ３１５）。
【０１９６】
ステップＳ３１５の判断処理において、まだ読み込みが完了していないと判断したときには、メインＣＰＵ３１は、読み込みは失敗か否かを判断する（ステップＳ３１６）。このステップＳ３１６の判断処理は、ステップＳ３０５の処理と同様に行われる処理である。
【０１９７】
ステップＳ３１６の判断処理において、写真データの読み込みは失敗したと判断したときには、メインＣＰＵ３１は、写真データの読み込みができなかったことを通知するメッセージを表示し（ステップＳ３１７）、この図１６、図１７に示す処理を終了する。このステップＳ３１７の処理は、上述したステップＳ３０６と同様の処理である。
【０１９８】
ステップＳ３１６の判断処理において、写真データの読み込みは失敗していないと判断したときには、メインＣＰＵ３１は、写真データのローディング中であることを通知するメッセージを表示し（ステップＳ３１８）、ステップＳ３１５からの処理を繰り返すようにする。このステップＳ３１８の処理は、上述したステップＳ３０７と同様の処理である。
【０１９９】
ステップＳ３１５の判断処理において、読み込みが完了したと判断したときには、メインＣＰＵ３１は、シェアフレーム情報に応じて、表示画面を分割して形成される枠毎に、読み込まれた写真データによる写真を表示するための準備処理を行う（ステップＳ３１９）。
【０２００】
この後、メインＣＰＵ３１は、表示している画像を徐々に暗くしながら消去するようにし、これに替えて、ステップＳ３１９において準備した新たな画像を表示するように切り替える（ステップＳ３２０）。この後、ステップＳ３１１からの処理を繰り返す。
【０２０１】
これにより、ＬＣＤ１４の表示画面を複数の分割表示領域に分割して複数の枠を形成し、その各枠に、所有者の異なる写真を表示させることができるようにされる。これにより、所有者の異なる写真を、同一画面上に表示して利用することができる。
【０２０２】
なお、ここでは、表示画面を複数に分割して、各分割表示領域に異なるアルバムの写真を表示するものとして説明した。しかし、これに限るものではない。同時に表示すべき異なる所有者の写真が存在しない場合には、表示画面の全体を１つの枠（分割表示領域）とみなし、ここに目的とするアルバムからの写真を表示するようにすることもできる。すなわち、表示画面の分割は、１つ以上の枠（分割表示領域）に分割する場合において、この発明は適用可能である。
【０２０３】
また、上述した実施の形態において、シェアフレームによる写真の表示処理を行うようにした場合に、新着マーク「ＮＥＷ」が表示されている場合には、ユーザーからの操作入力の発生が表示切り替えのイベントとなるようにした。これは、新着の写真を確実にユーザーが見ることができるようにするためである。しかし、どの写真が新着の写真か分かりにくい場合もある。
【０２０４】
そこで、新着の写真がある時は、シェアフレームの表示に切り替えた時に、その新着写真を優先して表示すると共に、写真の表示を次に送るユーザーからの操作入力があるまで、新着写真を表示したままにする。この場合、自動送りの設定になっていても表示画像を自動的に切り替えないようにする。
【０２０５】
通常、アルバムの中にはたくさんの写真が存在し、どの写真が新着なのかわかりにくい。しかし、上述したように、ユーザーが新着マークに気がついて、シェアフレームを表示した時に新着の写真から表示し、ユーザー操作により表示を切り替えることにより、新着の写真を確実にユーザーが見ることができる。
【０２０６】
すなわち、シェアフレームが表示されている状態で、新着の写真があった時に、新着の写真を表示しても、ユーザーが見ているかどうかわからない状態で、写真を自動送りしてしまうと、どの写真が新着かわからなくなる。
【０２０７】
そこで、まず、新着の写真から優先して表示すると共に、ユーザーが次の写真を表示するために写真を送る操作（実際は例えばリモートコントローラ６０の右矢印のボタンを押す操作）をするまで、自動の写真送りを停止する。これにより、新着写真がどれかを明確にユーザーに示すことができると共に、ユーザーが新着写真を確実に見ることができる。
【０２０８】
なお、シェアフレームにおいて、以下に示す２つの表示モードからいずれかを選択して設定するようにしておくことも可能である。すなわち、  
（１）新着写真が存在する場合であっても、アルバムの先頭か写真を表示し、ユーザーの操作入力があった場合にのみ、表示する写真を自動的に写真の表示を切り替えるようにするモード。  
（２）新着写真が存在する場合には、新着写真から優先して表示し、ユーザーの操作入力に応じて写真の表示を切り替えるようにするモード。  
からユーザーの用途に応じたモードを選択し設定できるようにすることも可能である。
【０２０９】
さらに、３つ目のモードとして、（１）新着写真が存在する場合であっても、アルバムの先頭か写真を表示し、自動的に写真の表示を切り替えるようにするモードを加えるようにしてもよい。
【０２１０】
なお、上述した実施の形態においては、記憶手段の機能はフラッシュメモリ３３が実現している。また、取得手段の機能は主にメインＣＰＵ３１と無線ＬＡＮモジュール４８が実現している。また、形成手段の機能はメインＣＰＵ３１が実現し、表示処理手段の機能は、メインＣＰＵ３１とＬＣＤ制御回路４４とＬＣＤ１４とがその機能を実現している。
【０２１１】
また、受付手段は、サブＣＰＵ３２、パネル操作部４１、リモートコントローラ６０及び受光部５６等によって実現している。また、計測手段の機能は、時計回路４０がその機能を実現している。また、表示制御手段の機能は、メインＣＰＵ３１が実現している。
【０２１２】
また、検出手段の機能は、主にメインＣＰＵが実現し、報知手段の機能は、主に新着ＬＥＤ７０が実現している。また、更新手段の機能は、メインＣＰＵ３１が実現し、新着通知手段、通知手段の機能は、メインＣＰＵ３１、ＬＣＤ制御回路４４、ＬＣＤ１４等によって実現している。
【０２１３】
［タグフレームについて］
また、この実施の形態の画像表示装置１０においては、上述した「フレーム」という新たな考え方を用いた新たな機能の１つとして、「タグフレーム」という機能をも実現している。そして、上述した「シェアフレーム」と「タグフレーム」とでは、表示しようとする写真データの特定方法が異なるものの、その表示態様は類似するものである。そこで、上述した「シェアフレーム」に表示態様が類似する「タグフレーム」の機能についても説明する。この「タグフレーム」という機能の概要を示せば、以下のようになる。
【０２１４】
「タグフレーム」は、写真データに付加されているメタデータの１つであるキーワード情報を利用し、関連のある写真データを自動的に抽出して、これを表示することを目的とした機能である。
【０２１５】
図１８は、「タグフレーム」について説明するための図である。図１８においては、説明を簡単にするため、１画面に１枚の写真を表示するようにする場合を例に説明する。しかし、これに限るものではなく、シェアフレームの場合と同様に、１画面を複数の表示領域に分割し、そのそれぞれに異なる写真を表示することもできるものである。
【０２１６】
図１８において、参照符号ＦＬ１、ＦＬ２、ＦＬ３、ＦＬ４のそれぞれは、所定のメモリに記録されている写真データ（写真データファイル）を意味している。そして、各写真データは、大きく分けるとヘッダ部と静止画像データ部とからなっている。
【０２１７】
そして、ヘッダ部は、図１８に示すように、ファイル名と、撮影日時やフォーカスやシャッタースピードなどの撮影条件情報等の付加情報やキーワード情報等からなるメタデータとが付加されたものである。
【０２１８】
ここで、キーワード情報は、撮影後にユーザーが分類整理などを目的して、付加するようにするものであり、デジタルカメラにおいても、比較的に簡単な文字情報の入力が可能である。また、パーソナルコンピュータを用いることによって、多くのキーワード情報を比較的に簡単に入力することもできる。
【０２１９】
また、インターネット上の写真共有サーバ上のアルバムに登録された写真データには、詳細なキーワード情報が付加されているものも存在し、それらの写真データを比較的に簡単に取得して利用することもできるようにされている。
【０２２０】
したがって、この「タグフレーム」の場合には、上述したように、写真データ毎に付加されるメタデータのうち、種々付加されるキーワード情報に着目し、同じキーワード情報や類似するキーワード情報を有する写真データを抽出して表示するものである。
【０２２１】
そして、図１８に示した例は、キーワード情報に「ハワイ」というキーワードを含む写真データを抽出するようにした場合を示している。図１８に示すように、各写真データには、キーワード情報が付加されており、そのキーワード情報には、「ハワイ」というキーワード（文言）が含まれている。
【０２２２】
そして、図１８に示した例の場合には、共通するキーワードを有する写真データによる写真を、図１８において矢印で示した順番で表示するようにした場合を示している。これにより、まず、図１８Ａ→図１８Ｂ→図１８Ｃ→図１８Ｄといった順番で、同じキーワードを有する写真データの写真を表示することができるようにされる。
【０２２３】
このような、「タグフレーム」の機能による、キーワード情報に応じた写真の表示を行うためには、タグフレーム情報を事前に登録しておく必要がある。このタグフレーム情報は、上述した「シェアフレーム」の機能を用いる場合の、シェアフレーム情報に相当するものである。
【０２２４】
図１９は、事前に画像表示装置１０のフラッシュメモリ３４に登録しておくようにされるタグフレーム情報の一例を説明するための図である。
【０２２５】
図１９に示すように、当該タグフレーム情報は、自己を識別するためのファイルＩＤと、タグフレームタイトルと、表示対象の写真データの格納先を示すアクセス先と、１画面に表示する写真の表示枚数を示す１画面の表示枚数と、スライドショー表示する場合に、表示画像を切り替えるタイミングを示す「表示切り替え時間」と、連続して表示する写真の最大枚数を示す表示最大枚数と備えたものである。
【０２２６】
また、この例のタグフレーム情報には、「タグフレーム」の機能を用いて写真の表示を行う場合に、最初のキーワードの選択方法を設定するようにしている。ここで、最初のキーワードの選択方法は、固定である場合と、キーワードファイルよりランダムに取得する場合と、よく使うキーワードを選択する場合の３つ内から選択することができるようにされている。
【０２２７】
「固定」は、予め入力しておいたキーワードをそのまま用いるようにするものである。また、「キーワードファイルよりランダムに取得」は、多数のキーワードが予め登録されて用意されているキーワードファイルから、ランダムに取得するようにしたキーワードを用いるようにするものである。また、「よく使うキーワードを選択」は、この画像表示装置１０に入力された文字情報の入力頻度を更新するようにしておき、入力頻度の高い文字情報をキーワードとして利用するようにするものである。
【０２２８】
このように、タグフレーム情報は、出力対象の写真データの格納元（アクセス先）と、そこに記憶されている写真データの表示態様を示す情報と、最初のキーワードの選択方法とが予め設定するようにされたものである。
【０２２９】
［タグフレーム情報の登録処理について］
次に、図１９にその一例を示して説明したように形成されるタグフレーム情報の登録処理について説明する。図２０は、タグフレーム情報の登録処理の一例を説明するためのフローチャートである。この図２０に示す処理は、この実施の形態の画像表示装置１０において、パネル操作部４１等を通じて、「タグフレーム」を作成するようにする操作が行われた場合に、主にメインＣＰＵ３１とサブＣＰＵ３２において実行される処理である。
【０２３０】
そして、この例の場合、メインＣＰＵ３１は、まず、パネル操作部４１やリモートコントローラ６０を通じて、当該「タグフレーム」のタイトルの入力を受け付ける（ステップＳ４０１）。ここでは、例えば、簡単な文字入力を行うことができる。
【０２３１】
次に、メインＣＰＵ３１は、パネル操作部４１等及びサブＣＰＵ３２を通じて、表示対象の写真データを記憶保持しているメモリなどのアクセス先の選択入力を受け付ける（ステップＳ４０２）。このステップＳ４０２の処理においては、内蔵メモリ、外部メモリの他、ＬＡＮ上のサーバ装置のアルバム、インターネット上のサーバ装置のアルバムなどを選択することができるようにされている。
【０２３２】
次に、メインＣＰＵ３１は、パネル操作部４１等及びサブＣＰＵ３２を通じて１画面の表示枚数（１画面に表示する画像の表示枚数）Ｎの選択入力を受け付ける（ステップＳ４０３）。このステップＳ４０３の処理においては、１画面中に表示する静止画像の表示枚数であり、図４を用いて説明したように、１枚（図４Ａ）、２枚（図４Ｂ）、３枚（図４Ｃ）、４枚（図４Ｄ）の中から目的とするものの選択入力を受け付ける。
【０２３３】
そして、メインＣＰＵ３１は、パネル操作部４１等及びサブＣＰＵ３２を通じて表示切り替え時間ｔの選択入力を受け付ける（ステップＳ４０４）。表示切り替え時間ｔは、ＬＣＤ１４の表示画面１４Ｇに表示する画像の表示時間を示すものである。具体的には、「１５秒」、「１分」、「１０分」、「３０分」、「１時間」、「４時間」、「切り替えない」などの中から選択可能なものである。
【０２３４】
次に、メインＣＰＵ３１は、パネル操作部４１等及びサブＣＰＵ３２を通じて表示最大枚数の選択入力を受け付ける（ステップＳ４０５）。表示最大枚数は、同じキーワードの写真データが多数存在する場合に、表示対象とする写真の枚数を予め制限する場合に用いるものである。
【０２３５】
そして、最後に、メインＣＰＵ３１は、パネル操作部４１等及びサブＣＰＵ３２を通じてキーワード情報選択入力等を受け付ける（ステップＳ４０６）。このステップＳ４０６の処理は、最初のキーワードの選択方法を設定するようにするためのものである。具体的には、上述もしたように、最初のキーワードの選択方法として、「固定」、「キーワードファイルよりランダムに取得」、「よく使うキーワードを選択」の３つ内から１つを選択する。また、「固定」を選択した場合には、固定とするキーワード情報の入力も受け付けられる。
【０２３６】
この後、メインＣＰＵ３１は、パネル操作部４１及びサブＣＰＵ３２を通じて確認入力を受け付ける（ステップＳ４０７）。そして、メインＣＰＵ３１は、ステップＳ４０７で受け付けた確認入力は、種々の情報の選択入力が間違いないことを示すものか否か（「ＯＫ」か否か）を判断する（ステップＳ４０８）。
【０２３７】
ステップＳ４０８の判断処理において、ステップＳ４０７で受け付けた確認入力が、「Ｂａｃｋ」や「Ｎｏ」などが選択され、種々の情報の選択入力が間違いないことを示すものではないと判断したときには、ステップＳ４０１からの処理を繰り返す。これにより、種々の情報の再度の選択入力を行うことができるようにされる。
【０２３８】
ステップＳ４０８の判断処理において、ステップＳ４０７で受け付けた確認入力が、種々の情報の選択入力が間違いないことを示すものであると判断したときには、メインＣＰＵ３１は、新しいタグフレーム情報を生成して登録する処理（新しい「タグフレーム」を登録する処理）を行う（ステップＳ４０９）。そして、この図２０に示すタグフレーム情報の登録処理を終了する。
【０２３９】
なお、ステップＳ４０９の処理においては、ステップＳ４０１〜ステップＳ４０６において受け付けた種々の情報を関連付けて、図１９を示した態様のタグフレーム情報を形成する。そして、形成したタグフレーム情報を、所定のメモリに登録すると共に、当該「タグフレーム」をいわゆるメニューに相当する「ホーム」に対して選択可能なように登録する。また、この実施の形態の画像表示装置１０において、タグフレーム情報の登録先は、フラッシュメモリ３３であるものとして説明する。
【０２４０】
このようにして、図１９に示した態様のタグフレーム情報が、メインＣＰＵ３１に接続されたフラッシュメモリ３３に形成されて保持される。
【０２４１】
［タグフレームによる写真の表示処理について］
次に、タグフレームの機能により写真を表示する場合の処理について説明する。タグフレームの機能により同じキーワードを有する写真を表示する場合には、以下に示す２つの表示処理（表示処理１と表示処理２）が考えられる。
【０２４２】
表示処理１は、  
（１）最初のキーワードから同じキーワードを持つ写真を見つける。  
（２）見つかった写真をスライドショー表示する。  
と言うように、大きく分けると２段階の処理を行うものである。
【０２４３】
表示処理２は、  
（１）最初のキーワードから同じキーワードを持つ写真を見つける。  
（２）見つかった写真をスライドショー表示しながら、個々の写真のキーワードを重複なく集める。  
（３）表示対象の写真についてキーワードを集め終えたら、最初のキーワード以外のキーワードを１つ選び、（１）からの処理を繰り返す。  
と言うように、キーワードを替えながら、（１）、（２）の処理を繰り返すものである。以下においては、上述した表示処理１と表示処理２のそれぞれの詳細について説明する。
【０２４４】
［タグフレームによる写真の表示処理１について］
図２１、図２２は、タグフレームによる写真の表示処理１を説明するためのフローチャートである。
【０２４５】
この図２１、図２２に示す処理は、上述したシェアフレームの場合と同様に、図６を用いて説明したように、ホーム（選択メニューに相当）に表示された目的とするタグフレームの選択項目を選択することにより、主にメインＣＰＵ３１とサブＣＰＵ３２とによって実行される。
【０２４６】
まず、メインＣＰＵ３１は、ユーザーによって実行が指示されたタグフレームのタグフレーム情報をフラッシュメモリ３３からメインメモリ３４に読み込む（ステップＳ５０１）。このタグフレーム情報は、図２０を用いて説明した処理により、図１９に示したように構成されるタグフレーム情報である。
【０２４７】
そして、メインＣＰＵ３１は、最初のキーワードを特定し、この特定したキーワードと同じキーワードを有する写真データを探す（ステップＳ５０２）。具体的に、メインＣＰＵ３１は、まず、ステップＳ５０１において読み込んだタグフレーム情報のキーワードの選択方法にしたがって、最初のキーワードを特定する。そして、メインＣＰＵ３１は、特定したキーワードに基づいて、当該タグフレーム情報においてアクセス先として指定されたフォルダ等の中から同じキーワードを有する写真データを探す。
【０２４８】
この後、メインＣＰＵ３１は、ステップＳ５０２において探し出した、特定したキーワードと同じキーワードを有する写真データの内、１画面に表示する分の写真データをアクセス先のフォルダ等からメインメモリ３４に読み込む処理を開始する（ステップＳ５０３）。
【０２４９】
そして、メインＣＰＵ３１は、各枠に表示する写真の写真データの読み込みが完了したか否かを判断する（ステップＳ５０４）。ステップＳ５０４の判断処理において、まだ読み込みが完了していないと判断したときには、メインＣＰＵ３１は、読み込みは失敗か否かを判断する（ステップＳ５０５）。
【０２５０】
このステップＳ５０５の判断処理は、例えば、アクセス先から応答が無かったり、写真データが読み出せなかったりすることなく、正常に写真データが取得できているか否かを判断する処理である。
【０２５１】
ステップＳ５０５の判断処理において、写真データの読み込みは失敗したと判断したときには、メインＣＰＵ３１は、写真データの読み込みができなかったことを通知するメッセージを表示し（ステップＳ５０６）、この図２１、図２２に示す処理を終了する。具体的に、ステップＳ５０６においては、メインＣＰＵ３１は、写真データの読み込みができなかったことを通知するメッセージを形成し、これをＬＣＤ制御回路４４等を制御してＬＣＤ１４の表示画面１４Ｇに表示し、この後に、この図２１、図２２に示す処理を終了する。
【０２５２】
ステップＳ５０５の判断処理において、写真データの読み込みは失敗していないと判断したときには、メインＣＰＵ３１は、写真データのローディング中であることを通知するメッセージを表示し（ステップＳ５０７）、ステップＳ５０４からの処理を繰り返すようにする。つまり、ステップＳ５０７において、メインＣＰＵ３１は、写真データのローディング中であることを通知するメッセージを形成し、これをＬＣＤ制御回路４４等を制御してＬＣＤ１４の表示画面１４Ｇに表示する。この後に、メインＣＰＵ３１は、ステップＳ５０４からの処理を繰り返す。
【０２５３】
ステップＳ５０４の判断処理において、読み込みが完了したと判断したときには、メインＣＰＵ３１は、タグフレーム情報に応じて、表示画面を分割して形成される枠毎に、読み込まれた写真データによる写真を表示する処理を行う（ステップＳ５０８）。
【０２５４】
このステップＳ５０８の処理は、タグフレーム情報に基づいて、表示画面１４Ｇを指示された数の枠（分割表示領域）に分割し、そのそれぞれに対してメインメモリ３４に読み込んだ写真データに応じた写真を表示する表示画像をメインメモリ３４に形成する。そして、メインＣＰＵ３１は、この形成した表示画像を、ＬＣＤ制御部４４を通じてＬＣＤ１４に供給し、その表示画面１４Ｇに表示する。
【０２５５】
この後、メインＣＰＵ３１は、次に表示すべき写真の写真データを読み込む処理を開始する（ステップＳ５０９）。このステップＳ５０９の処理は、ステップＳ５０３の処理と同様に、ステップＳ５０２において探し出した、特定したキーワードと同じキーワードを有する写真データから、次に表示すべき写真データをメインメモリ３４に読み込む処理を開始するものである。
【０２５６】
そして、メインＣＰＵ３１は、イベント待ちとなる（ステップＳ５１０）。このステップＳ５１０の処理は、タグフレーム情報に設定するようにされている表示切り替え時間の経過か、パネル操作部４１やリモートコントローラ６０を通じてのユーザーからの操作入力の発生が、イベントの発生になる。なお、表示切り替え時間の経過は、現在表示されている写真の表示開始からの時間が、設定された表示切り替え時間を越えた場合にイベントの発生とみなすものである。
【０２５７】
この後、メインＣＰＵ３１は、ユーザーによって終了操作が行われたり、表示すべき写真の全てを表示したりするなど、タグフレームによる写真の表示処理を終了させるべき事象が発生したか否かを判断する（ステップＳ５１１）。
【０２５８】
ステップＳ５１１の判断処理において、タグフレームによる写真の表示処理を終了させるべき事象が発生したと判断したときには、メインＣＰＵ３１は、終了処理を実行する（ステップＳ５１２）。この後、この図２１、図２２に示す処理が終了するようにされる。
【０２５９】
なお、ステップＳ５１２の終了処理においては、例えば、メインメモリ３４に読み出した種々のデータを消去し、空き領域を確保するなどの処理が行われることになる。
【０２６０】
また、ステップＳ５１１の判断処理において、タグフレームによる写真の表示処理を終了させるべき事象は発生していないと判断したときには、図２２に示す処理に進む。そして、メインＣＰＵ３１は、各枠に表示する写真の写真データの読み込みが完了したか否かを判断する（ステップＳ５１３）。
【０２６１】
ステップＳ５１３の判断処理において、まだ読み込みが完了していないと判断したときには、メインＣＰＵ３１は、読み込みは失敗か否かを判断する（ステップＳ５１４）。このステップＳ５１４の判断処理は、ステップＳ５０５の処理と同様に行われる処理である。
【０２６２】
ステップＳ５１４の判断処理において、写真データの読み込みは失敗したと判断したときには、メインＣＰＵ３１は、写真データの読み込みができなかったことを通知するメッセージを表示し（ステップＳ５１５）、この図２１、図２２に示す処理を終了する。このステップＳ５１５の処理は、上述したステップＳ５０６と同様の処理である。
【０２６３】
ステップＳ５１４の判断処理において、写真データの読み込みは失敗していないと判断したときには、メインＣＰＵ３１は、写真データのローディング中であることを通知するメッセージを表示し（ステップＳ５１６）、ステップＳ５１３からの処理を繰り返すようにする。このステップＳ５１６の処理は、上述したステップＳ５０７と同様の処理である。
【０２６４】
ステップＳ５１３の判断処理において、読み込みが完了したと判断したときには、メインＣＰＵ３１は、タグフレーム情報に応じて、表示画面を分割して形成される枠毎に、読み込まれた写真データによる写真を表示するための準備処理を行う（ステップＳ５１７）。
【０２６５】
この後、メインＣＰＵ３１は、表示している画像を徐々に暗くしながら消去するようにし、これに替えて、ステップＳ５１７において準備した新たな画像を表示するように切り替える（ステップＳ５１８）。この後、図２１のステップＳ５０９からの処理を繰り返す。
【０２６６】
これにより、ＬＣＤ１４の表示画面を複数の分割表示領域に分割して複数の枠を形成し、その各枠に、同じキーワードを有する写真データによる写真を表示することができるようにされる。これにより、ユーザーは、写真データに付加されているキーワードに基づいて、関連のある写真を抽出して再生し、これを利用することができるようにされる。
【０２６７】
なお、図２１、図２２を用いて説明した処理においては、表示画面を複数に分割して、各分割表示領域に共通するキーワードを有する写真データによる写真を表示するものとして説明した。しかし、これに限るものではない。共通するキーワードを有する写真データによる写真を、１画面に１枚ずつ表示し、順次に写真を替えていくようにするスライドショー表示を行うようにすることもできる。
【０２６８】
［タグフレームによる写真の表示処理２について］
図２３、図２４は、タグフレームによる写真の表示処理２を説明するためのフローチャートである。
【０２６９】
この図２３、図２４に示す処理は、図２１、図２２に示したタグフレームの表示処理１の場合と同様に、図６を用いて説明したように、ホーム（選択メニューに相当）に表示された目的とするタグフレームの選択項目を選択することにより、主にメインＣＰＵ３１とサブＣＰＵ３２とによって実行される。
【０２７０】
まず、メインＣＰＵ３１は、ユーザーによって実行が指示されたタグフレームのタグフレーム情報をフラッシュメモリ３３からメインメモリ３４に読み込む（ステップＳ６０１）。このタグフレーム情報は、図２０を用いて説明した処理により、図１９に示したように構成されるタグフレーム情報である。
【０２７１】
そして、メインＣＰＵ３１は、最初のキーワードを特定し、この特定したキーワードと同じキーワードを有する写真データを探す（ステップＳ６０２）。具体的には、メインＣＰＵ３１は、まず、ステップＳ６０１において読み込んだタグフレーム情報のキーワードの選択方法にしたがって、最初のキーワードを特定する。そして、メインＣＰＵ３１は、特定したキーワードに基づいて、当該タグフレーム情報においてアクセス先として指定されたフォルダの中から同じキーワードを有する写真データを探す。
【０２７２】
この後、メインＣＰＵ３１は、ステップＳ６０２において探し出した、特定したキーワードと同じキーワードを有する写真データの内、１画面に表示する分の写真データをアクセス先のフォルダからメインメモリ３４に読み込む処理を開始する（ステップＳ６０３）。
【０２７３】
そして、メインＣＰＵ３１は、アクセス先のフォルダからメインメモリ３４に読み込むようにしている写真データに付加されているキーワード情報を、例えば、メインメモリ３４の所定の領域（キーワード蓄積領域）に蓄積する（ステップＳ６０４）。
【０２７４】
この後、メインＣＰＵ３１は、各枠に表示する写真の写真データの読み込みが完了したか否かを判断する（ステップＳ６０５）。ステップＳ６０５の判断処理において、まだ読み込みが完了していないと判断したときには、メインＣＰＵ３１は、読み込みは失敗か否かを判断する（ステップＳ６０６）。
【０２７５】
このステップＳ６０６の判断処理は、例えば、アクセス先から応答が無かったり、写真データが読み出せなかったりすることなく、正常に写真データが取得できているか否かを判断する処理である。
【０２７６】
ステップＳ６０６の判断処理において、写真データの読み込みは失敗したと判断したときには、メインＣＰＵ３１は、写真データの読み込みができなかったことを通知するメッセージを表示し（ステップＳ６０７）、この図２３、図２４に示す処理を終了する。具体的に、ステップＳ６０７においては、メインＣＰＵ３１は、写真データの読み込みができなかったことを通知するメッセージを形成し、これをＬＣＤ制御回路４４等を制御してＬＣＤ１４の表示画面１４Ｇに表示し、この後に、この図２３、図２４に示す処理を終了する。
【０２７７】
ステップＳ６０６の判断処理において、写真データの読み込みは失敗していないと判断したときには、メインＣＰＵ３１は、写真データのローディング中であることを通知するメッセージを表示し（ステップＳ６０８）、ステップＳ６０４からの処理を繰り返すようにする。つまり、ステップＳ６０８において、メインＣＰＵ３１は、写真データのローディング中であることを通知するメッセージを形成し、これをＬＣＤ制御回路４４等を制御してＬＣＤ１４の表示画面１４Ｇに表示する。この後に、メインＣＰＵ３１は、ステップＳ６０４からの処理を繰り返す。
【０２７８】
ステップＳ６０５の判断処理において、読み込みが完了したと判断したときには、メインＣＰＵ３１は、タグフレーム情報に応じて、表示画面を分割して形成される枠毎に、読み込まれた写真データによる写真を表示する処理を行う（ステップＳ６０９）。
【０２７９】
このステップＳ６０９の処理は、タグフレーム情報に基づいて、表示画面１４Ｇを指示された数の枠（分割表示領域）に分割し、そのそれぞれに対してメインメモリ３４に読み込んだ写真データに応じた写真を表示する表示画像をメインメモリ３４に形成する。そして、メインＣＰＵ３１は、この形成した表示画像を、ＬＣＤ制御部４４を通じてＬＣＤ１４に供給し、その表示画面１４Ｇに表示する。
【０２８０】
この後、メインＣＰＵ３１は、次に表示すべき写真の写真データを読み込む処理を開始する（ステップＳ６１０）。このステップＳ６１０の処理は、ステップＳ６０３の処理と同様に、ステップＳ６０２において探し出した、特定したキーワードと同じキーワードを有する写真データから、次に表示すべき写真データをメインメモリ３４に読み込む処理を開始するものである。
【０２８１】
そして、メインＣＰＵ３１は、イベント待ちとなる（ステップＳ６１１）。このステップＳ６１１の処理は、タグフレーム情報に設定するようにされている表示切り替え時間の経過か、パネル操作部４１やリモートコントローラ６０を通じてのユーザーからの操作入力の発生が、イベントの発生になる。なお、表示切り替え時間の経過は、現在表示されている写真の表示開始からの時間が、設定された表示切り替え時間を越えた場合にイベントの発生とみなすものである。
【０２８２】
この後、図２４に示す処理に進み、メインＣＰＵ３１は、ユーザーによって終了操作が行われたり、表示すべき写真の全てを表示したりするなど、タグフレームによる写真の表示処理を終了させるべき事象が発生したか否かを判断する（ステップＳ６１２）。
【０２８３】
ステップＳ６１２の判断処理において、タグフレームによる写真の表示処理を終了させるべき事象が発生したと判断したときには、メインＣＰＵ３１は、終了処理を実行する（ステップＳ６１３）。この後、この図２３、図２４に示す処理が終了するようにされる。
【０２８４】
なお、ステップＳ６１３の終了処理においては、例えば、メインメモリ３４に読み出した種々のデータを消去し、空き領域を確保するなどの処理が行われることになる。
【０２８５】
また、ステップＳ６１２の判断処理において、タグフレームによる写真の表示処理を終了させるべき事象は発生していないと判断したときには、新たにメインメモリ３４に読み込んだ写真データに付加されているキーワード情報を蓄積する（ステップＳ６１４）。
【０２８６】
このステップＳ６１４の処理は、図２３に示したステップＳ６０４の処理と同様の処理である。すなわち、ステップＳ６１４において、メインＣＰＵ３１は、図２３のステップＳ６１０において開始させるようにした読み込み処理により、新たにメインメモリ３４に読み込むようにした写真データに付加されているキーワード情報を、例えば、メインメモリ３４の所定の領域（キーワード蓄積領域）に蓄積する。
【０２８７】
そして、メインＣＰＵ３１は、各枠に表示する写真の写真データの読み込みが完了したか否かを判断する（ステップＳ６１５）。
【０２８８】
ステップＳ６１５の判断処理において、まだ読み込みが完了していないと判断したときには、メインＣＰＵ３１は、読み込みは失敗か否かを判断する（ステップＳ６１６）。このステップＳ６１６の判断処理は、ステップＳ６０６の処理と同様に行われる処理である。
【０２８９】
ステップＳ６１６の判断処理において、写真データの読み込みは失敗したと判断したときには、メインＣＰＵ３１は、写真データの読み込みができなかったことを通知するメッセージを表示し（ステップＳ６１７）、この図２３、図２４に示す処理を終了する。このステップＳ６１７の処理は、上述したステップＳ６０７と同様の処理である。
【０２９０】
ステップＳ６１６の判断処理において、写真データの読み込みは失敗していないと判断したときには、メインＣＰＵ３１は、写真データのローディング中であることを通知するメッセージを表示し（ステップＳ６１８）、ステップＳ６１４からの処理を繰り返すようにする。このステップＳ６１４の処理は、上述したステップＳ６０８と同様の処理である。
【０２９１】
ステップＳ６１５の判断処理において、読み込みが完了したと判断したときには、メインＣＰＵ３１は、タグフレーム情報に応じて、表示画面を分割して形成される枠毎に、読み込まれた写真データによる写真を表示するための準備処理を行う（ステップＳ６１９）。
【０２９２】
この後、メインＣＰＵ３１は、表示している画像を徐々に暗くしながら消去するようにし、これに替えて、ステップＳ６１９において準備した新たな画像を表示するように切り替える（ステップＳ６２０）。
【０２９３】
そして、メインＣＰＵ３１は、図２３に示したステップＳ６０２の処理により探し出すようにした、特定したキーワードと同じキーワードが付加されている写真データの全部を表示し終えたか否かを判断する（ステップＳ６２１）。
【０２９４】
ステップＳ６２１の判断処理において、まだ表示し終えていないと判断したときには、図２３に示したステップＳ６１０からの処理を繰り返すようにし、新たな写真データによる写真の表示を行うようにする。
【０２９５】
ステップＳ６２１の判断処理において、ステップＳ６０２において探し出した写真データを全て表示し終えたと判断したときには、メインＣＰＵ３１は、蓄積した写真データのキーワード情報の中から、新たなキーワード情報を選択する（ステップＳ６２２）。
【０２９６】
すなわち、ステップＳ６２２においては、ステップＳ６０４とステップＳ６１４の処理により、例えばメインメモリ３４のキーワード蓄積領域に蓄積したキーワード情報の中から、先に選択したキーワードを除き、次にキーワードとするべきものを選択する。
【０２９７】
このステップＳ６２２のキーワードの選択においては、例えば、出現頻度の高いキーワードを選択したり、ランダムにキーワードを選択したりするなど、予め決められた方式に従って、新たなキーワードの選択が行われる。
【０２９８】
そして、ステップＳ６２２の処理の後、メインＣＰＵ３１は、図２３に示したステップＳ６０２からの処理を繰り返し、新たなキーワードを有する写真データによる写真を表示する処理を行うようにする。
【０２９９】
これにより、ＬＣＤ１４の表示画面を複数の分割表示領域に分割して複数の枠を形成し、その各枠に、同じキーワードを有する写真データによる写真を表することができるようにされる。
【０３００】
また、この図２３、図２４に示した表示処理２の場合には、特定したキーワードを有する全ての写真データによる写真を表示した後、新たなキーワードを特定して、その特定したキーワードを有する写真データによる写真の表示を行うことができる。つまり、新たなキーワードを特定可能な構成を有し、キーワード毎に写真データを抽出して、その写真データの写真を表示することができるようにされる。
【０３０１】
なお、図２３、図２４に示した処理においては、表示画面を複数に分割して、各分割表示領域に共通するキーワードを有する写真データによる写真を表示するものとして説明した。しかし、これに限るものではない。上述したタグフレームによる写真の表示処理１の場合と同様に、共通するキーワードを有する写真データによる写真を、１画面に１枚ずつ表示し、順次に写真を替えていくようにするスライドショー表示を行うようにすることもできる。
【０３０２】
［タグフレームの他の表示態様について］
上述したタグフレームによる写真の表示処理１、表示処理２の場合には、特定したキーワードを有する多数の写真データの全部を表示対象として表示するようにした。しかし、1画目毎に、キーワードを替えるようにすることも可能である。
【０３０３】
以下においては、１画面毎にキーワードを替える場合について説明する。また、この例の場合においても、表示画面を複数の枠（分割表示領域）に分割し、１画面中に複数の写真を表示することができるものである。しかし、説明を簡単にするため、まず、１画面に１枚の写真を表示する場合について説明する。
【０３０４】
図２５は、１画面毎にキーワードを替えて抽出する写真データにより写真を表示するようにする場合のタグフレームについて説明するための図である。
【０３０５】
図２５において、参照符号ＦＬ１、ＦＬ２、ＦＬ３、ＦＬ４のそれぞれは、図１８に示したものと同様に、所定のメモリに記録されている写真データ（写真データファイル）を意味している。そして、各写真データは、大きく分けるとヘッダ部と静止画像データ部戸からなっている。
【０３０６】
そして、ヘッダ部は、図２５に示すように、ファイル名と、撮影日時やフォーカスやシャッタースピードなどの撮影条件情報等の付加情報やキーワード情報等からなるメタデータとが付加されたものである。ファイル名、付加データ、キーワードのそれぞれは、図１８を用いて説明したものと同様のものである。
【０３０７】
そして、この例の場合、最初に用いるキーワードが特定され、その特定されたキーワードを有する写真データが抽出されて表示される。例えば、最初に用いるキーワードとして特定されたものが「ハワイ」であったとする。この場合には、図２５Ａに示すように、「ハワイ」という文言をキーワードに有する写真データＦＬ１が抽出されて表示される。
【０３０８】
そして、写真データＦＬ１が有するキーワードの内、「ハワイ」以外のキーワードを次に用いるキーワードとして特定する。この例の場合には、図２５Ａに示すように、「海」という文言が、次のキーワードとして特定される。そして、「海」と言う文言をキーワードに有する写真データＦＬ２が抽出されて表示される。
【０３０９】
次に、写真データＦＬ２が有するキーワードの内、「海」以外のキーワードを次に用いるキーワードとして特定する。この例の場合には、図２５Ｂに示すように、「ホテル」という文言が、次のキーワードとして特定される。そして、「ホテル」と言う文言をキーワードに有する写真データＦＬ３が抽出されて表示される。
【０３１０】
そして、写真データＦＬ３が有するキーワードの内、「ホテル」以外のキーワードを次に用いるキーワードとして特定する。この例の場合には、図２５Ｃに示すように、「沖縄」という文言が、次のキーワードとして特定される。そして、「沖縄」と言う文言をキーワードに有する写真データＦＬ４が抽出されて表示される。
【０３１１】
このように、この例は、１画面毎に用いるキーワードを替えながら、表示に用いる写真データを抽出し、抽出した写真データによる写真を表示するようにするものである。
【０３１２】
なお、図２５においては、１画面に１枚の写真を表示する場合を説明した。しかし、１画面に複数の写真を表示することももちろん可能である。この場合には、特定されたキーワードと同じキーワードを有する写真データを、１画面に表示する枚数分読み出すようにすればよい。
【０３１３】
この例の場合にも、図１９に示したタグフレーム情報を、図２０に示した処理により、予め作成しておくようにされる。そして、図１９に示したように形成されるタグフレーム情報を用いて、以下に説明する処理を行うことによって、１画面毎にキーワードを替えながら、キーワードに応じた写真データを抽出し、これを表示することができる。
【０３１４】
［タグフレームによる写真の表示処理の他の例について］
図２６、図２７は、タグフレームによる写真の表示処理の他の例である、１画面毎に用いるキーワードを替えるようにして写真データを抽出して表示する処理を説明するためのフローチャートである。
【０３１５】
この図２６、図２７に示す処理は、上述し表示処理１、表示処理２の場合と同様に、図６を用いて説明したホーム（選択メニューに相当）に表示された目的とするタグフレームの選択項目を選択することにより、主にメインＣＰＵ３１とサブＣＰＵ３２とによって実行される。
【０３１６】
まず、メインＣＰＵ３１は、ユーザーによって実行が指示されたタグフレームのタグフレーム情報をフラッシュメモリ３３からメインメモリ３４に読み込む（ステップＳ７０１）。このタグフレーム情報は、図２０を用いて説明した処理により、図１９に示したように構成されるものである。
【０３１７】
そして、メインＣＰＵ３１は、最初のキーワードを特定し、この特定したキーワードと同じキーワードを有する写真データを探す（ステップＳ７０２）。具体的には、メインＣＰＵ３１は、まず、ステップＳ７０１において読み込んだタグフレーム情報のキーワードの選択方法にしたがって、最初のキーワードを特定する。そして、メインＣＰＵ３１は、特定したキーワードに基づいて、当該タグフレーム情報においてアクセス先として指定されたフォルダの中から同じキーワードを有する写真データを探す。
【０３１８】
この後、メインＣＰＵ３１は、ステップＳ７０２において探し出した、特定したキーワードと同じキーワードを有する写真データの内、１画面に表示する分の写真データをアクセス先のフォルダ等からメインメモリ３４に読み込む処理を開始する（ステップＳ７０３）。
【０３１９】
そして、メインＣＰＵ３１は、各枠に表示する写真の写真データの読み込みが完了したか否かを判断する（ステップＳ７０４）。ステップＳ７０４の判断処理において、まだ読み込みが完了していないと判断したときには、メインＣＰＵ３１は、読み込みは失敗か否かを判断する（ステップＳ７０５）。
【０３２０】
このステップＳ７０５の判断処理は、例えば、アクセス先から応答が無かったり、写真データが読み出せなかったりすることなく、正常に写真データが取得できているか否かを判断する処理である。
【０３２１】
ステップＳ７０５の判断処理において、写真データの読み込みは失敗したと判断したときには、メインＣＰＵ３１は、写真データの読み込みができなかったことを通知するメッセージを表示し（ステップＳ７０６）、この図２６、図２７に示す処理を終了する。具体的に、ステップＳ７０６においては、メインＣＰＵ３１は、写真データの読み込みができなかったことを通知するメッセージを形成し、これをＬＣＤ制御回路４４等を制御してＬＣＤ１４の表示画面１４Ｇに表示し、この後に、この図２６、図２７に示す処理を終了する。
【０３２２】
ステップＳ７０５の判断処理において、写真データの読み込みは失敗していないと判断したときには、メインＣＰＵ３１は、写真データのローディング中であることを通知するメッセージを表示し（ステップＳ７０７）、ステップＳ７０４からの処理を繰り返すようにする。つまり、ステップＳ７０７において、メインＣＰＵ３１は、写真データのローディング中であることを通知するメッセージを形成し、これをＬＣＤ制御回路４４等を制御してＬＣＤ１４の表示画面１４Ｇに表示する。この後に、メインＣＰＵ３１は、ステップＳ７０４からの処理を繰り返す。
【０３２３】
ステップＳ７０４の判断処理において、読み込みが完了したと判断したときには、メインＣＰＵ３１は、タグフレーム情報に応じて、表示画面を分割して形成される枠毎に、読み込まれた写真データによる写真を表示する処理を行う（ステップＳ７０８）。
【０３２４】
このステップＳ７０８の処理においては、タグフレーム情報に基づいて、表示画面１４Ｇを指示された数の枠（分割表示領域）に分割し、そのそれぞれに対してメインメモリ３４に読み込んだ写真データに応じた写真を表示する表示画像をメインメモリ３４に形成する。そして、メインＣＰＵ３１は、この形成した表示画像を、ＬＣＤ制御部４４を通じてＬＣＤ１４に供給し、その表示画面１４Ｇに表示する。
【０３２５】
この後、メインＣＰＵ３１は、表示した写真の写真データに付加されているキーワードの中から、次に用いる新たなキーワードを選択する（ステップＳ７０９）。このステップＳ７０９の処理においては、今回用いられたキーワードとは異なるキーワードを選択する。
【０３２６】
具体的に、ステップＳ７０９においては、例えば、ランダムにキーワードを選択したり、複数の写真データが表示対象である場合には、今回用いたキーワード以外に重複するキーワードを選択したりするなど、予め決められた方法により新たなキーワードを選択する。
【０３２７】
そして、メインＣＰＵ３１は、ステップＳ７０９において新たに選択したキーワードと同じキーワードを有する写真データを探す（ステップＳ７１０）。すなわち、メインＣＰＵ３１は、選択された新たなキーワードに基づいて、当該タグフレーム情報においてアクセス先として指定されたフォルダの中から同じキーワードを有する写真データを探す。
【０３２８】
この後、メインＣＰＵ３１は、ステップＳ７１０において探し出した、選択された新たなキーワードと同じキーワードを有する写真データの内、１画面に表示する分の写真データをアクセス先のフォルダ等からメインメモリ３４に読み込む処理を開始する（ステップＳ７１１）。
【０３２９】
そして、図２７に示す処理に進み、メインＣＰＵ３１は、イベント待ちとなる（ステップＳ７１２）。このステップＳ７１２の処理は、タグフレーム情報に設定するようにされている表示切り替え時間の経過か、パネル操作部４１やリモートコントローラ６０を通じてのユーザーからの操作入力の発生が、イベントの発生になる。なお、表示切り替え時間の経過は、現在表示されている写真の表示開始からの時間が、設定された表示切り替え時間を越えた場合にイベントの発生とみなすものである。
【０３３０】
この後、メインＣＰＵ３１は、ユーザーによって終了操作が行われなど、タグフレームによる写真の表示処理を終了させるべき事象が発生したか否かを判断する（ステップＳ７１３）。
【０３３１】
ステップＳ７１３の判断処理において、タグフレームによる写真の表示処理を終了させるべき事象が発生したと判断したときには、メインＣＰＵ３１は、終了処理を実行する（ステップＳ７１４）。この後、この図２６、図２７に示す処理が終了するようにされる。
【０３３２】
なお、ステップＳ７１４の終了処理においては、例えば、メインメモリ３４に読み出した種々のデータを消去し、空き領域を確保するなどの処理が行われることになる。
【０３３３】
また、ステップＳ７１３の判断処理において、タグフレームによる写真の表示処理を終了させるべき事象は発生していないと判断したときには、メインＣＰＵ３１は、各枠に表示する写真の写真データの読み込みが完了したか否かを判断する（ステップＳ７１５）。
【０３３４】
ステップＳ７１５の判断処理において、まだ読み込みが完了していないと判断したときには、メインＣＰＵ３１は、読み込みは失敗か否かを判断する（ステップＳ７１６）。このステップＳ７１６の判断処理は、ステップＳ７０５の処理と同様に行われる処理である。
【０３３５】
ステップＳ７１６の判断処理において、写真データの読み込みは失敗したと判断したときには、メインＣＰＵ３１は、写真データの読み込みができなかったことを通知するメッセージを表示し（ステップＳ７１７）、この図２６、図２７に示す処理を終了する。このステップＳ７１７の処理は、上述したステップＳ７０６と同様の処理である。
【０３３６】
ステップＳ７１６の判断処理において、写真データの読み込みは失敗していないと判断したときには、メインＣＰＵ３１は、写真データのローディング中であることを通知するメッセージを表示し（ステップＳ７１８）、ステップＳ７１８からの処理を繰り返すようにする。このステップＳ７１８の処理は、上述したステップＳ７０７と同様の処理である。
【０３３７】
ステップＳ７１５の判断処理において、読み込みが完了したと判断したときには、メインＣＰＵ３１は、タグフレーム情報に応じて、表示画面を分割して形成される枠毎に、読み込まれた写真データによる写真を表示するための準備処理を行う（ステップＳ７１９）。
【０３３８】
この後、メインＣＰＵ３１は、表示している画像を徐々に暗くしながら消去するようにし、これに替えて、ステップＳ７１９において準備した新たな画像を表示するように切り替える（ステップＳ７２０）。この後、図２６のステップＳ７０９からの処理を繰り返す。
【０３３９】
これにより、１画面毎にキーワードを替えて、当該キーワードに応じた写真データを抽出して、これに応じた写真を表示することができるようにされる。
【０３４０】
なお、図１８〜図２７を用いて説明した「タグフレーム」の場合には、一致するキーワードを用いる場合を例にして説明したが、類似するキーワードを検索対象とすることもできる。この場合には、類似語辞書を形成しておくようにする。例えば、夏、海、ハワイ、グアム、サーフィンなどといったまとまりと、冬、雪、スキー、スケート、アラスカなどといったまとまりと言うように、関連するキーワードのまとまりを予め登録しておく。
【０３４１】
そして、キーワードが特定された場合に、これに一致するキーワードではなく、当該キーワードが属するまとまりの中から、キーワードを特定することにより、類似するキーワードの繋がりを形成することもできる。したがって、新たなキーワードを特定する場合に、上述したようにすることによって、類似するキーワードによるタグフレームの機能を実現することができる。
【０３４２】
また、上述した実施の形態において、タグフレームの機能により画像を表示する場合には、画像に関連する情報は表示していないが、これに限るものではない。例えば、用いられたキーワードを表示された画像と共に表示するようにしてももちろんよい。
【０３４３】
この場合には、メインＣＰＵ３１の機能により、用いたキーワードを表示するための情報を、ＬＣＤ制御回路４４を通じて、ＬＣＤ１４に供給するようにすればよい。この他、必要に応じて、種々の情報を表示することが可能である。
【０３４４】
［その他］
なお、上述した実施の形態においては、表示するコンテンツデータは写真データ（静止画データ）である場合を例にして説明した。しかし、これに限るものではない。表示画面を分割することにより形成される枠毎に、異なる動画像を表示するようにしてもよい。個々の動画像は、その再生時間も異なる場合が多いので、例えば、先頭から１分、先頭から分などと言うように、一定時間ずつ、再生する動画像データを切り替えながら、動画像を表示することも可能である。
【０３４５】
このように、この発明は、静止画像だけでなく、動画像データを表示する場合にも適用可能である。なお、静止画データには、動きの伴わない種々のグラフィックスデータも含まれる。また、動画データには、アニメーションデータ等、動きの伴いグラフィックスデータも含まれる。
【０３４６】
また、上述した実施の形態においては、表示画面を複数の表示領域に分割し、そのそれぞれに異なる画像を表示するものとして説明した。しかし、表示領域を必ずしも明確に決める必要はない。例えば、設定される表示領域よりも大きめに各画像を表示するようにし、境界付近では、重なりある隣接する画像同士をぼかすように処理するようにしてもよい。
【０３４７】
このようにすることによって、１画面を複数に分割しても、その境界部分を曖昧に表示し、１枚の画像のようにして表示（ディゾブル表示）することもできる。
【０３４８】
また、上述した実施の形態においては、この発明を画像表示装置に適用した場合を例にして説明したが、これに限るものではない。例えば、静止画像データ、動画像データなどの再生が可能な再生装置、記録再生装置、また、パーソナルコンピュータなどの情報処理装置にもこの発明を適用することができる。
【図面の簡単な説明】
【０３４９】
【図１】この発明の一実施の形態が適用された画像表示装置１０の外観的な構成を説明するための図である。
【図２】この発明の一実施の形態が適用された画像表示装置１０の外観的な構成を説明するための図である。
【図３】この発明の一実施の形態が適用された画像表示装置１０の接続構成の一例を説明するためのブロック図である。
【図４】この発明の一実施の形態が適用された画像表示装置１０において選択可能な、静止画像を表示する場合の出力態様（表示態様）について説明するための図である。
【図５】「シェアフレーム」について説明するための図である。
【図６】画像表示装置１０の表示画面１４Ｇに表示されるいわゆる「ホーム」の表示画像の一例を示す図である。
【図７】「シェアフレーム」による画像の具体的な表示例を説明するための図である。
【図８】「シェアフレーム」による画像の具体的な表示例を説明するための図である。
【図９】「シェアフレーム」による画像の具体的な表示例を説明するための図である。
【図１０】「シェアフレーム」による画像の具体的な表示例を説明するための図である。
【図１１】画像表示装置１０において用いられるシェアフレーム情報の一例を説明するための図である。
【図１２】シェアフレーム情報の登録処理の一例を説明するためのフローチャートである。
【図１３】インターネット上のサーバ装置などに設けられる写真のアルバムの記録情報について説明するための図である。
【図１４】インターネット上のサーバ装置に設けられる写真のアルバムの管理情報である写真リストの一例を説明するための図である。
【図１５】画像表示装置１０において行われる、新着データの確認処理について説明するための図である。
【図１６】シェアフレームによる写真の表示処理を説明するためのフローチャートである。
【図１７】図１６に続くフローチャートである。
【図１８】「タグフレーム」について説明するための図である。
【図１９】タグフレーム情報の一例を説明するための図である。
【図２０】タグフレーム情報の登録処理の一例を説明するためのフローチャートである。
【図２１】タグフレームによる写真の表示処理１を説明するためのフローチャートである。
【図２２】図２１に続くフローチャートである。
【図２３】タグフレームによる写真の表示処理２を説明するためのフローチャートである。
【図２４】図２３に続くフローチャートである。
【図２５】１画面毎にキーワードを替えて抽出する写真データにより写真を表示するようにする場合のタグフレームについて説明するための図である。
【図２６】１画面毎に用いるキーワードを替えるようにして写真データを抽出して表示する処理を説明するためのフローチャートである。
【図２７】図２６に続くフローチャートである。
【符号の説明】
【０３５０】
１０…画像表示装置、１１…ベゼル、１１ａ…ベゼル窓、１２…フロントパネル、１３…ＬＣＤパネル、１４…ＬＣＤ、１５…バックライト、２１…背面、２２…リアカバー、２２ａ、２２ｂ…側面、２３ａ、２３ｂ…放音用の穴、２４…ＵＳＢ端子、２５…無線ＬＡＮスイッチ、２６…指示脚、２７、２８、２９…メモリ用スロット、３１…メインＣＰＵ、３２…サブＣＰＵ、３３…フラッシュメモリ、３４…メインメモリ、３５…ＵＳＢインタフェース、３６…メモリ制御回路、３７、３８、３９…外部メモリ、４０…時計回路、４１…パネル操作部、４２…明るさセンサ、４３…温度センサ、４４…ＬＣＤ制御回路、４５…バックライト制御部、４６…音声処理部、４７Ｌ、４７Ｒ…スピーカ、４８…無線ＬＡＮモジュール、４９…内蔵アンテナ、７０…新着ＬＥＤ
【図１】
0004600514.tif 000002
【図２】
0004600514.tif 000003
【図３】
0004600514.tif 000004
【図４】
0004600514.tif 000005
【図５】
0004600514.tif 000006
【図６】
0004600514.tif 000007
【図７】
0004600514.tif 000008
【図８】
0004600514.tif 000009
【図９】
0004600514.tif 000010
【図１０】
0004600514.tif 000011
【図１１】
0004600514.tif 000012
【図１２】
0004600514.tif 000013
【図１３】
0004600514.tif 000014
【図１４】
0004600514.tif 000015
【図１５】
0004600514.tif 000016
【図１６】
0004600514.tif 000017
【図１７】
0004600514.tif 000018
【図１８】
0004600514.tif 000019
【図１９】
0004600514.tif 000020
【図２０】
0004600514.tif 000021
【図２１】
0004600514.tif 000022
【図２２】
0004600514.tif 000023
【図２３】
0004600514.tif 000024
【図２４】
0004600514.tif 000025
【図２５】
0004600514.tif 000026
【図２６】
0004600514.tif 000027
【図２７】
0004600514.tif 000028